(57)【要約】データ送受信システムの車載用記録再生装置（７００）は、データベースファイル（７１０）と受信したデータベースファイル（６１０）とを比較し、家庭用記録再生装置（６００）には記録されているが車載用記録再生装置（７００）には記録されていないオーディオデータに関する情報を抽出する抽出部（５０２）と、抽出部（５０２）によって抽出された車載用記録再生装置（７００）には記録されているが家庭用記録再生装置（６００）には記録されていないオーディオデータを家庭用記録再生装置（６００）へ送信する送出部（５０１）と、データベースファイル（７１０）の項目である「複製元」、「複製先」および「優先度」を確認することでその曲を家庭用記録再生装置（６００）へ複製するのか、あるいは車載用記録再生装置（７００）自身の記憶部（１０１）から削除するのかを決定する削除決定部（７０１）とを備える。
2005020076.tif 000002
【特許請求の範囲】
【請求項１】
入力データの記録および再生を行う第１記録再生装置および第２記録再生装置を備え、前記第１記録再生装置と前記第２記録再生装置との間でデータを送受信するデータ送受信システムであって、
前記第１記録再生装置は、
デジタルデータ群と、前記デジタルデータ群の各デジタルデータに関する情報を格納する第１データベースファイルとを記憶するための第１記憶手段と、
前記第２記録再生装置より送信された第２データベースファイルと、前記第１データベースファイルとを比較し、前記第１記録再生装置には記録されているが前記第２記録再生装置で削除されたデジタルデータに対応するデジタルデータに関する情報を前記第１データベースファイルから抽出する抽出手段と、
前記抽出されたデジタルデータに関する情報、および前記抽出されたデジタルデータに関する情報に対応するデジタルデータを前記第１記憶手段から削除するか否かを決定する削除決定手段とを備え、
前記第２記録再生装置は、
デジタルデータ群と、前記デジタルデータ群の各デジタルデータに関する情報を格納する前記第２データベースファイルとを記憶するための第２記憶手段と、
前記第２データベースファイルを前記第１記録再生装置へ送信する送信手段とを備える
ことを特徴とするデータ送受信システム。
【請求項２】
前記第１データベースファイルおよび前記第２データベースファイルに格納された各デジタルデータに関する情報には、当該デジタルデータがどこから複製されたかを示す複製元の情報、および当該デジタルデータをどこへ複製したかを示す複製先の情報を含み、
前記抽出手段は、前記第１記録再生装置には記録されているが前記第２記録再生装置で削除されたデジタルデータに対応するデジタルデータに関する情報を、前記複製元の情報および前記複製先の情報に基づいて抽出する
ことを特徴とする請求の範囲１記載のデータ送受信システム。
【請求項３】
前記削除決定手段は、前記抽出されたデジタルデータに関する情報、および前記抽出されたデジタルデータに関する情報に対応するデジタルデータをすべて削除すると決定する
ことを特徴とする請求の範囲２記載のデータ送受信システム。
【請求項４】
前記第１データベースファイルおよび前記第２データベースファイルに格納された各デジタルデータに関する情報には、さらに優先度を示す情報を含み、
前記削除決定手段は、前記抽出されたデジタルデータに関する情報、および前記抽出されたデジタルデータに関する情報に対応するデジタルデータを削除するか否かを、当該デジタルデータの前記優先度に基づいて決定する
ことを特徴とする請求の範囲２記載のデータ送受信システム。
【請求項５】
前記第１データベースファイルおよび前記第２データベースファイルに格納された各デジタルデータに関する情報には、当該デジタルデータが前記第１または第２記憶手段から削除されたことを示す削除情報を含み、
前記抽出手段は、前記第１記録再生装置には記録されているが前記第２記録再生装置で削除されたデジタルデータに対応するデジタルデータに関する情報を、前記削除情報に基づいて抽出する
ことを特徴とする請求の範囲１記載のデータ送受信システム。
【請求項６】
前記削除決定手段は、前記抽出されたデジタルデータに関する情報に対応するデジタルデータをすべて削除すると決定する
ことを特徴とする請求の範囲５記載のデータ送受信システム。
【請求項７】
前記第１データベースファイルおよび前記第２データベースファイルに格納された各デジタルデータに関する情報には、さらに優先度を示す情報を含み、
前記削除決定手段は、前記抽出されたデジタルデータに関する情報に対応するデジタルデータを削除するか否かを、当該デジタルデータの前記優先度に基づいて決定する
ことを特徴とする請求の範囲５記載のデータ送受信システム。
【請求項８】
前記削除決定手段は、削除すると決定した前記デジタルデータを前記第１記憶手段から削除するとともに、削除した前記デジタルデータに対応する前記第１データベースファイル中の前記削除情報を更新する
ことを特徴とする請求の範囲６または請求の範囲７記載のデータ送受信システム。
【請求項９】
前記第１データベースファイルおよび前記第２データベースファイルに格納された各デジタルデータに関する情報には、当該デジタルデータがどこから複製されたかを示す複製元の情報、および当該デジタルデータをどこへ複製したかを示す複製先の情報を含み、
前記抽出手段は、前記第２データベースファイルと前記第１データベースファイルとを比較し、さらに、前記第１記録再生装置には記録されているが前記第２記録再生装置には記録されていないデジタルデータに対応するデジタルデータに関する情報を抽出するとともに、
前記第１記録再生装置は、さらに、
前記抽出されたデジタルデータに関する情報、および前記抽出されたデジタルデータに関する情報に対応するデジタルデータを、前記第２記録再生装置へ送信する送出手段を備える
ことを特徴とする請求の範囲１記載のデータ送受信システム。
【請求項１０】
前記送出手段は、前記抽出されたデジタルデータに関する情報、および前記抽出されたデジタルデータに関する情報に対応するデジタルデータを前記第２記録再生装置へ送信するか否かを、当該デジタルデータの前記複製元の情報および前記複製先の情報に基づいて決定する
ことを特徴とする請求の範囲９記載のデータ送受信システム。
【請求項１１】
前記第１データベースファイルおよび前記第２データベースファイルに格納された各デジタルデータに関する情報は、優先度を示す情報を含み、
前記送出手段は、前記抽出されたデジタルデータに関する情報、および前記抽出されたデジタルデータに関する情報に対応するデジタルデータを前記第２記録再生装置へ送信するか否かを、さらに前記優先度に基づいて決定する
ことを特徴とする請求の範囲１０に記載のデータ送受信システム。
【請求項１２】
前記第１記録再生装置または前記第２記録再生装置は、車に搭載される
ことを特徴とする請求の範囲１に記載のデータ送受信システム。
【請求項１３】
入力データの記録および再生を行うとともに、他装置との間でデータを送受信する記録再生装置であって、
デジタルデータ群と、前記デジタルデータ群の各デジタルデータに関する情報を格納する第１データベースファイルとを記憶するための記憶手段と、
受信した前記他装置が記憶するデジタルデータ群の各デジタルデータに関する情報を格納する第２データベースファイルと、前記第１データベースファイルとを比較し、当該記録再生装置には記録されているが前記他装置で削除されたデジタルデータに対応するデジタルデータに関する情報を前記第１データベースファイルから抽出する抽出手段と、
前記抽出されたデジタルデータに関する情報、および前記抽出されたデジタルデータに関する情報に対応するデジタルデータを前記記憶手段から削除するか否かを決定する削除決定手段とを備える
ことを特徴とする記録再生装置。
【請求項１４】
他装置との間でデータを送受信するとともに、記録しているデータを管理するデータ送受信方法であって、
受信した前記他装置が記憶するデジタルデータ群の各デジタルデータに関する情報を格納する第２データベースファイルと、当該記録再生装置が記憶するデジタルデータ群の各デジタルデータに関する情報を格納する第１データベースファイルとを比較し、当該記録再生装置には記録されているが前記他装置で削除されたデジタルデータに対応するデジタルデータに関する情報を前記第１データベースファイルから抽出する抽出ステップと、
前記抽出されたデジタルデータに関する情報、および前記抽出されたデジタルデータに関する情報に対応するデジタルデータを削除するか否かを決定する削除決定ステップとを含む
ことを特徴とするデータ送受信方法。
【請求項１５】
他装置との間でデータを送受信するとともに、記録しているデータを管理するためのプログラムであって、
受信した前記他装置が記憶するデジタルデータ群の各デジタルデータに関する情報を格納する第２データベースファイルと、当該記録再生装置が記憶するデジタルデータ群の各デジタルデータに関する情報を格納する第１データベースファイルとを比較し、当該記録再生装置には記録されているが前記他装置で削除されたデジタルデータに対応するデジタルデータに関する情報を前記第１データベースファイルから抽出する抽出ステップと、
前記抽出されたデジタルデータに関する情報、および前記抽出されたデジタルデータに関する情報に対応するデジタルデータを削除するか否かを決定する削除決定ステップとを
コンピュータに実行させることを特徴とするプログラム。
【発明の詳細な説明】
【技術分野】  本発明は、データの送受信を行うシステムに関し、特に２台の記録再生装置間でデジタルデータを送受信するデータ送受信システム、データ送受信方法および記録再生装置に関する。
【背景技術】  従来の車載オーディオシステムでは、ＣＤ（ＣｏｍｐａｃｔＤｉｓｃ）やユーザが記録したＭＤ（ＭｉｎｉＤｉｓｃ）などのリムーバブルメディア等を車に持ち込んで音楽を視聴するというものが主流である。近年では、車載用ハードディスクが車に搭載され、大量のオーディオデータが蓄積できるようになってきている。このような車載用ハードディスクへの音楽の保存方法は、半導体メモリなどから複製、あるいはハードディスクが持ち出し可能な場合にはＰＣ（パーソナルコンピュータ）と接続してオーディオデータを直接複製するというものである。
ところで、２つの機器間でそれぞれが保持するファイルを同じにするというファイル同期という技術がある。この技術は、主にＰＣの分野でファイルを複製するときに用いられる技術であり、特にサーバ／クライアントマシン間でクライアントマシンがサーバマシンとデータベースの状態を同じにするためによく用いられる。
このようなファイル同期技術として、インターネットを介して結ばれる個々のマシン間でファイル同期を簡単かつ効率よく行うファイル同期システムおよびファイルが提案されている（例えば、特開２００１−２２９０６５号公報参照。）。
しかしながら、上記特許文献１のファイル同期システムでは通信状態が安定したインターネット環境を想定しており、車などのような通信状態が不安定な環境での効率よいファイル同期については記載されていない。
また、一般のファイル同期では、双方のマシンのファイルの内容を全く同じ状態にすることが想定されている。このようなファイル同期を、車載用記録再生装置と家庭用記録再生装置との間に適用しようしても、例えば車で聴く音楽は、家庭で聴く音楽とはジャンルが異なるというユーザも少なくないことから、ユーザの求めるオーディオデータの複製を行うことができない場合が多い。
【発明の開示】
そこで、本発明は上記の事情に鑑みてなされたものであり、２台の記録再生装置間におけるデジタルデータを効率よく送受信することができるデータ送受信システム、データ送受信方法および記録再生装置を提供することを目的とする。
上記目的を達成するため、本発明に係るデータ送受信システムは、入力データの記録および再生を行う第１記録再生装置および第２記録再生装置を備え、前記第１記録再生装置と前記第２記録再生装置との間でデータを送受信するデータ送受信システムであって、前記第１記録再生装置は、デジタルデータ群と、前記デジタルデータ群の各デジタルデータに関する情報を格納する第１データベースファイルとを記憶するための第１記憶手段と、前記第２記録再生装置より送信された第２データベースファイルと、前記第１データベースファイルとを比較し、前記第１記録再生装置には記録されているが前記第２記録再生装置で削除されたデジタルデータに対応するデジタルデータに関する情報を前記第１データベースファイルから抽出する抽出手段と、前記抽出されたデジタルデータに関する情報、および前記抽出されたデジタルデータに関する情報に対応するデジタルデータを前記第１記憶手段から削除するか否かを決定する削除決定手段とを備え、前記第２記録再生装置は、デジタルデータ群と、前記デジタルデータ群の各デジタルデータに関する情報を格納する前記第２データベースファイルとを記憶するための第２記憶手段と、前記第２データベースファイルを前記第１記録再生装置へ送信する送信手段とを備えることを特徴とする。
ここで、前記第１データベースファイルおよび前記第２データベースファイルに格納された各デジタルデータに関する情報には、当該デジタルデータがどこから複製されたかを示す複製元の情報、および当該デジタルデータをどこへ複製したかを示す複製先の情報を含み、前記抽出手段は、前記第１記録再生装置には記録されているが前記第２記録再生装置で削除されたデジタルデータに対応するデジタルデータに関する情報を、前記複製元の情報および前記複製先の情報に基づいて抽出してもよい。
また、前記第１データベースファイルおよび前記第２データベースファイルに格納された各デジタルデータに関する情報には、当該デジタルデータが前記第１または第２記憶手段から削除されたことを示す削除情報を含み、前記抽出手段は、前記第１記録再生装置には記録されているが前記第２記録再生装置で削除されたデジタルデータに対応するデジタルデータに関する情報を、前記削除情報に基づいて抽出してもよい。
これによって、一方の記録再生装置でデジタルデータの削除が行われた場合に、他方の記録再生装置において、一方の記録再生装置で削除が行われたデジタルデータを特定することができ、例えばユーザの嗜好に合わせて削除するか否かを決定することができる。
また、前記第１データベースファイルおよび前記第２データベースファイルに格納された各デジタルデータに関する情報には、さらに優先度を示す情報を含み、前記削除決定手段は、前記抽出されたデジタルデータに関する情報、および前記抽出されたデジタルデータに関する情報に対応するデジタルデータを削除するか否かを、当該デジタルデータの前記優先度に基づいて決定してもよい。
これによって、一方の記録再生装置でデジタルデータの削除が行われた場合に、他方の記録再生装置において、ユーザの嗜好に合わせて削除するか否かを決定することができる。
また、前記第１データベースファイルおよび前記第２データベースファイルに格納された各デジタルデータに関する情報には、さらに優先度を示す情報を含み、前記削除決定手段は、前記抽出されたデジタルデータに関する情報に対応するデジタルデータを削除するか否かを、当該デジタルデータの前記優先度に基づいて決定してもよい。
これによって、一方の記録再生装置でデジタルデータの削除が行われた場合に、他方の記録再生装置において、ユーザの嗜好に合わせて削除するか否かを決定することができる。
ここで、前記削除決定手段は、削除すると決定した前記デジタルデータを前記第１記憶手段から削除するとともに、削除した前記デジタルデータに対応する前記第１データベースファイル中の前記削除情報を更新してもよい。
これによって、デジタルデータだけを削除し、第１データベースファイルには削除したデジタルデータに対応するデジタルデータに関する情報は残したままで、デジタルデータを管理することができる。
また、前記第１データベースファイルおよび前記第２データベースファイルに格納された各デジタルデータに関する情報には、当該デジタルデータがどこから複製されたかを示す複製元の情報、および当該デジタルデータをどこへ複製したかを示す複製先の情報を含み、前記抽出手段は、前記第２データベースファイルと前記第１データベースファイルとを比較し、さらに、前記第１記録再生装置には記録されているが前記第２記録再生装置には記録されていないデジタルデータに対応するデジタルデータに関する情報を抽出するとともに、前記第１記録再生装置は、さらに、前記抽出されたデジタルデータに関する情報、および前記抽出されたデジタルデータに関する情報に対応するデジタルデータを、前記第２記録再生装置へ送信する送出手段を備えてもよい。
これによって、各デジタルデータの複製元および複製先を知ることができ、一方の記録再生装置で削除したデジタルデータを他方の記録再生装置から複製することで無駄に復元することを防ぐことができる。
また、前記送出手段は、前記抽出されたデジタルデータに関する情報、および前記抽出されたデジタルデータに関する情報に対応するデジタルデータを前記第２記録再生装置へ送信するか否かを、当該デジタルデータの前記複製元の情報および前記複製先の情報に基づいて決定してもよい。
これによって、よりユーザの嗜好に合ったデータの複製が可能となる。
また、前記第１データベースファイルおよび前記第２データベースファイルに格納された各デジタルデータに関する情報は、優先度を示す情報を含み、前記送出手段は、前記抽出されたデジタルデータに関する情報、および前記抽出されたデジタルデータに関する情報に対応するデジタルデータを前記第２記録再生装置へ送信するか否かを、さらに前記優先度に基づいて決定してもよい。
これによって、一方の記録再生装置で削除したデジタルデータを他方の記録再生装置から複製することで無駄に復元することを防ぐことができる。
また、前記第１記録再生装置または第２記録再生装置は、車に搭載されてもよい。これにより、車内においても他方の記録再生装置に記録したデジタルデータを容易に利用することができる。
また、本発明に係る記録再生装置は、入力データの記録および再生を行うとともに、他装置との間でデータを送受信する記録再生装置であって、デジタルデータ群と、前記デジタルデータ群の各デジタルデータに関する情報を格納する第１データベースファイルとを記憶するための記憶手段と、受信した前記他装置が記憶するデジタルデータ群の各デジタルデータに関する情報を格納する第２データベースファイルと、前記第１データベースファイルとを比較し、当該記録再生装置には記録されているが前記他装置で削除されたデジタルデータに対応するデジタルデータに関する情報を前記第１データベースファイルから抽出する抽出手段と、前記抽出されたデジタルデータに関する情報、および前記抽出されたデジタルデータに関する情報に対応するデジタルデータを前記記憶手段から削除するか否かを決定する削除決定手段とを備えることを特徴とする。
これによって、他装置でデジタルデータの削除が行われた場合に、記録再生装置において、他装置で削除が行われたデジタルデータを特定することができ、例えばユーザの嗜好に合わせて削除するか否かを決定することができる。
また、本発明に係るデータ送受信システムは、入力データの記録および再生を行う第１記録再生装置および第２記録再生装置を備え、前記第１記録再生装置と前記第２記録再生装置との間でデータを送受信するデータ送受信システムであって、前記第１記録再生装置は、デジタルデータ群と、前記デジタルデータ群の各デジタルデータに関する情報を格納する第１データベースファイルとを記憶するための記憶手段と、前記第２記録再生装置より送信された第２データベースファイルと、前記第１データベースファイルとを比較し、前記第２記録再生装置には記録されているが前記第１記録再生装置には記録されていないデジタルデータに対応するデジタルデータに関する情報を抽出する抽出手段と、前記第２記録再生装置の有する前記第２データベースファイルの送信要求、および前記抽出されたデジタルデータに関する情報に対応するデジタルデータの送信要求を、前記第２記録再生装置へ送信する要求手段とを備え、前記第２記録再生装置は、デジタルデータ群と、前記デジタルデータ群の各デジタルデータに関する情報を格納する前記第２データベースファイルとを記憶するための記憶手段と、前記第１記録再生装置より送信された前記第２データベースファイルの送信要求により前記第２データベースファイル、および前記デジタルデータの送信要求により対応する前記デジタルデータを、それぞれ前記第１記録再生装置へ送信する応答手段とを備え、前記第１データベースファイルおよび前記第２データベースファイルに格納された各デジタルデータに関する情報には、優先度を含むことを特徴とする。
これによって、第２記録再生装置に存在し、第１記録再生装置に存在しないデジタルデータがある場合に、第２記録再生装置から第１記録再生装置へデジタルデータを効率よく複製することができ、２台の記録再生装置間におけるデジタルデータの送受信を簡単かつ効率よく行うことができる。
ここで、前記要求手段は、前記デジタルデータの送信要求に前記優先度を付加して前記第２記録再生装置へ送信し、前記応答手段は、前記デジタルデータの送信要求により前記デジタルデータを前記第１記録再生装置へ送信する際に、前記優先度に基づいて前記デジタルデータを送信することが好ましい。これによって、デジタルデータを第１記録再生装置へ送信する際に、優先度に基づいてデジタルデータを送信できるので、例えば、優先度の高い順に送信することにより、通信が中断されたときでもユーザの嗜好に合ったデジタルデータはできるだけ早期に送受信させることができる。
また、前記要求手段は、前記抽出されたデジタルデータに関する情報に対応するデジタルデータの送信を要求するか否かを、当該デジタルデータの前記優先度に基づいて決定してもよい。これによって、デジタルデータを第２記録再生装置へ要求する際に、デジタルデータの送信を要求するか否かを優先度に基づいて決定できるので、例えば、優先度の低いデジタルデータの送信を要求しないことにより、ユーザの嗜好に合わないデジタルデータを送受信しないで無駄な通信を行わなくてよい。
また、前記応答手段は、前記デジタルデータの送信要求により前記デジタルデータを前記第１記録再生装置へ送信する際に、前記デジタルデータに対応する前記第２データベースファイルに格納された前記優先度に基づいて前記デジタルデータを送信してもよい。これによって、デジタルデータを第２記録再生装置へ要求する際に優先度を送信しなくても、第２データベースファイルに格納された優先度に基づいてデジタルデータを送信することができるので、例えば、ＩＤ番号等の曲を識別できる情報だけを送信しても、優先度に基づいてデジタルデータを送信することができる。
また、前記第１記録再生装置は、さらに、前記デジタルデータの再生頻度、前記デジタルデータの記録日時、およびユーザの指定の少なくとも１つに基づいて、当該デジタルデータの前記優先度を決定する優先度決定手段を備えてもよい。これによって、優先度にユーザの嗜好やデジタルデータの新しさを反映させることができる。
また、前記優先度決定手段は、前記第１記録再生装置の記憶手段の空き容量に基づいて、前記記憶手段に記憶されている前記優先度が低いデジタルデータを削除してもよい。
これによって、記憶手段を有効に利用することができる。
また、前記要求手段は、前記第１記録再生装置に電源が投入されたときに、前記第２データベースファイルの送信要求を行ってもよい。
これによって、第１記録再生装置を無駄に消費することを防ぐことができる。
また、前記応答手段は、前記第１記録再生装置より送信された前記デジタルデータの送信要求により前記デジタルデータの少なくとも一部を、リムーバブルメディアへ記録し、前記第１記録再生装置では、前記リムーバブルメディアから前記デジタルデータの少なくとも一部を前記記憶手段へ転送してもよい。
これによって、複製するデジタルデータのデータ量が多いときでもより迅速に複製を完了することができる。
また、前記抽出手段は、前記第２データベースファイルと前記第１データベースファイルとを比較し、前記第１記録再生装置には記録されているが前記第２記録再生装置には記録されていないデジタルデータに対応するデジタルデータに関する情報を抽出するとともに、前記第１記録再生装置は、さらに、前記抽出されたデジタルデータに関する情報、および前記抽出されたデジタルデータに関する情報に対応するデジタルデータを、前記第２記録再生装置へ送信する送出手段を備えてもよい。
これによって、さらに第１記録再生装置に存在し、第２記録再生装置に存在しないデジタルデータがある場合についても、第１記録再生装置から第２記録再生装置へデジタルデータを効率よく複製することができ、２台の記録再生装置間における双方向でのデジタルデータの送受信を簡単かつ効率よく行うことができる。
また、前記第２記録再生装置は、さらに、前記デジタルデータを圧縮する圧縮手段を備え、前記第１データベースファイルおよび前記第２データベースファイルに格納された各デジタルデータに関する情報には、当該デジタルデータのデータ量を示す情報を含み、前記要求手段は、前記抽出されたデジタルデータに関する情報に対応するデジタルデータのデータ量および前記第１記録再生装置の記憶手段の空き容量に基づいて圧縮率を算出して、前記圧縮率を指定する圧縮指示を前記デジタルデータの送信要求とともに前記第２記録再生装置へ送信し、前記応答手段は、前記圧縮率を指定する圧縮指示に基づいて、前記デジタルデータの送信要求に対応する前記デジタルデータの圧縮を前記圧縮手段へ指示し、圧縮されたデジタルデータを前記第１記録再生装置へ送信してもよい。
これによって、第１記録再生装置の記憶手段の空き容量が少なくても、空き容量に応じて複製を行うことができるので、記憶手段を効率よく利用することができる。
また、前記要求手段は、前記圧縮率を前記優先度に基づいて算出してもよい。
これによって、ユーザの嗜好に合わせてデジタルデータの品質を変えることができる。
また、前記抽出されたデジタルデータに関する情報に対応するデジタルデータの中に１つ以上の動画像データを含み、前記第１記録再生装置は、さらに、前記デジタルデータの送信要求に前記動画像データを含めるか否かを、ユーザが個々に選択するためのユーザインタフェース手段を備えてもよい。
これによって、データサイズが大きな動画像データに対しては選択されたものだけを複製することができ、データの送受信を効率よく行うことができる。
また、本発明に係る記録再生装置は、入力データの記録および再生を行うとともに、他装置との間でデータを送受信する記録再生装置であって、デジタルデータ群と、前記デジタルデータ群の各デジタルデータに関する情報を格納する第１データベースファイルとを記憶するための記憶手段と、受信した前記他装置が記憶するデジタルデータ群の各デジタルデータに関する情報を各納する第２データベースファイルと、前記第１データベースファイルとを比較し、前記他装置には記録されているが前記記録再生装置には記録されていないデジタルデータに対応するデジタルデータに関する情報を抽出する抽出手段と、前記他装置の有する前記第２データベースファイルの送信要求、および前記抽出されたデジタルデータに関する情報に対応するデジタルデータの送信要求を、前記他装置へ送信する要求手段とを備え、前記第１データベースファイルおよび前記第２データベースファイルに格納された各デジタルデータに関する情報は、優先度を示す情報を含むことを特徴とする。
これによって、他装置に存在し、記録再生装置に存在しないデジタルデータがある場合に、他装置から記録再生装置へデジタルデータを効率よく複製することができる。
また、前記抽出手段は、前記第２データベースファイルと前記第１データベースファイルとを比較し、前記記録再生装置には記録されているが前記他装置には記録されていないデジタルデータに対応するデジタルデータに関する情報を抽出するとともに、前記抽出されたデジタルデータに関する情報、および前記抽出されたデジタルデータに関する情報に対応するデジタルデータを、前記他装置へ送信する送出手段を備えてもよい。
また、本発明に係る記録再生装置は、入力データの記録および再生を行うとともに、他装置との間でデータを送受信する記録再生装置であって、デジタルデータ群と、前記デジタルデータ群の各デジタルデータに関する情報を格納する前記データベースファイルとを記憶するための記憶手段と、前記他装置より送信された前記データベースファイルの送信要求により前記データベースファイル、および前記デジタルデータの送信要求により対応する前記デジタルデータを、それぞれ前記他装置へ送信する応答手段とを備え、前記応答手段は、前記デジタルデータの送信要求により前記デジタルデータを前記他装置へ送信する際に、前記デジタルデータの送信要求に付加された優先度に基づいて前記デジタルデータを送信することを特徴とする。
これによって、記録再生装置に存在し、他装置に存在しないデジタルデータがある場合に、記録再生装置から他装置へデジタルデータを効率よく複製することができる。
なお、本発明は、このようなデータ送受信システムとして実現することができるだけでなく、このようなデータ送受信システムが備える特徴的な手段をステップとするデータ送受信方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
以上の説明から明らかなように、本発明に係るデータ送受信システムによれば、一方の記録再生装置でデジタルデータの削除が行われた場合に、他方の記録再生装置において、一方の記録再生装置で削除が行われたデジタルデータを特定することができ、例えばユーザの嗜好に合わせて削除するか否かを決定することができる。よって、例えば車載用記録再生装置と家庭用記録再生装置等とにおいてデジタルデータの送受信を行う機会が増えている今日における実用的価値は極めて高い。
【図面の簡単な説明】  図１は、本発明の実施の形態１に係るデータ送受信システムの構成を示すブロック図である。
図２は、本発明の実施の形態１に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
図３は、本発明の実施の形態１、２、５および６に係る車載用記録再生装置および家庭用記録再生装置の動作を示すフローチャートである。
図４は、本発明の実施の形態２に係るデータ送受信システムの構成を示すブロック図である。
図５は、本発明の実施の形態２に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
図６は、本発明の実施の形態２に係る抽出部により抽出された複製の対象となるオーディオデータに関する情報のリストの一例を示す模式図であり、（ａ）抽出された状態のデータリスト、（ｂ）優先度が高い順に整列したデータリストの一例を示す模式図である。
図７は、本発明の実施の形態３に係るデータ送受信システムの構成を示すブロック図である。
図８は、本発明の実施の形態３および４に係る車載用記録再生装置および家庭用記録再生装置の動作を示すフローチャートである。
図９は、本発明の実施の形態４に係るデータ送受信システムの構成を示すブロック図である。
図１０は、本発明の実施の形態４に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
図１１は、本発明の実施の形態４に係る車載用記録再生装置には記録されているが家庭用記録再生装置には記録されていないオーディオデータに対する処理の流れを示すフローチャートである。
図１２は、本発明の実施の形態４に係る家庭用記録再生装置には記録されているが車載用記録再生装置には記録されていないオーディオデータに対する処理の流れを示すフローチャートである。
図１３は、本発明の実施の形態５に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
図１４は、本発明の実施の形態５に係る記憶部に保存されているデータベースファイルの一例を示す模式図であり、図１３で示したデータベースファイルから一部のオーディオデータが削除された場合のデータベースファイルの一例である。
図１５は、本発明の実施の形態５に係る一方の記録再生装置に存在しないオーディオデータを抽出した後に行われるデータベースファイル比較処理の流れを示すフローチャートである。
図１６は、本発明の実施の形態６に係るデータ送受信システムの構成を示すブロック図である。
図１７は、本発明の実施の形態６に係る家庭用記録再生装置には記録されているが車載用記録再生装置には記録されていないオーディオデータに対する処理の流れを示すフローチャートである。
図１８は、本発明の実施の形態７に係るデータ送受信システムの構成を示すブロック図である。
図１９は、本発明の実施の形態７に係る車載用記録再生装置には記録されているが家庭用記録再生装置には記録されていないデジタルコンテンツデータに対する処理の流れを示すフローチャートである。
【発明を実施するための最良の形態】  以下、本発明の各実施の形態について、それぞれ図面を参照しながら説明する。
（実施の形態１）
本実施の形態１では車載用記録再生装置と家庭用記録再生装置において、オーディオデータのデータベースファイルを比較し、車載用記録再生装置のデータベースファイルに不足しているオーディオデータを家庭用記録再生装置から複製（コピー）するデータ送受信システムについて説明する。
図１は本発明の実施の形態１に係るデータ送受信システムの構成を示すブロック図である。この送受信システムは、２台の記録再生装置間でデータを送受信するシステムであり、車載用記録再生装置１００および家庭用記録再生装置２００を備えている。
車載用記録再生装置１００は、映像データやオーディオデータなどのデジタルコンテンツを複数保存できる例えばハードディスク等の大容量の記録媒体である記憶部１０１、インターネットなどを介して外部との通信を行う通信部１０２、抽出部１０３、および要求部１０４を備えている。
一方、家庭用記録再生装置２００は、映像データやオーディオデータなどのデジタルコンテンツを複数保存できる例えばハードディスク等の大容量の記録媒体である記憶部２０１、インターネットなどを介して外部との通信を行う通信部２０２、および応答部２０３を備えている。ここでは、車載用記録再生装置１００および家庭用記録再生装置２００は、それぞれ通信部１０２と通信部２０２とにより、直接またはインターネット等のネットワークを介して通信する状況を想定している。
記憶部１０１および記憶部２０１には、複数のオーディオデータ、およびそれらのオーディオデータに関する情報を格納するデータベースファイルが保存されている。ここでオーディオデータに関する情報とは、例えば、アーティスト名、タイトル、録音時間などである。
図２は、記憶部に保存されているデータベースファイルの一例を示す模式図であり、（ａ）車載用記録再生装置１００の記憶部１０１、（ｂ）家庭用記録再生装置２００の記憶部２０１に保存されているデータベースファイルの一例である。ここでは、説明を簡略化するためにテキスト化しているが実際のデータベースファイルは電子データである。また、データベースファイルに記録されているオーディオデータに関する情報が、アーティスト名、タイトル、録音時間である場合を例に示している。
データベースファイル１２０には、車載用記録再生装置１００に保存されているオーディオデータに関する情報が、各オーディオデータに対応して例えば図２（ａ）に示すようにアーティスト名、タイトル、録音時間の項目毎に格納されている。一方、データベースファイル２２０には、同様に家庭用記録再生装置２００に保存されているオーディオデータに関する情報が、各オーディオデータに対応して例えば図２（ｂ）に示すようにアーティスト名、タイトル、録音時間の項目毎に格納されている。
また、記憶部１０１または記憶部２０１に、新規でオーディオデータが保存されると、データベースファイル１２０またはデータベースファイル２２０に、新規に保存されたオーディオデータに関する情報が新たに格納され、内容が更新される。
車載用記録再生装置１００の抽出部１０３は、家庭用記録再生装置２００より送信されたデータベースファイル２２０と、データベースファイル１２０とを比較し、家庭用記録再生装置２００には記録されているが車載用記録再生装置１００には記録されていないオーディオデータに関する情報を抽出する。
車載用記録再生装置１００の要求部１０４は、車載用記録再生装置１００の電源投入時に、家庭用記録再生装置２００のデータベースファイル２２０を送信することを要求する送信要求を通信部１０２を介して家庭用記録再生装置２００へ送信する。また、要求部１０４は、抽出部１０３によって抽出されたオーディオデータに関する情報に対応するオーディオデータを送信することを要求する送信要求を、通信部１０２を介して家庭用記録再生装置２００へ送信する。
家庭用記録再生装置２００の応答部２０３は、データベースファイル２２０の送信要求に応じて、記憶部２０１に保存されているデータベースファイル２２０を車載用記録再生装置１００へ通信部２０２を介して送信する。また、応答部２０３は、オーディオデータを送信することを要求する送信要求に応じて、対象となるオーディオデータを車載用記録再生装置１００へ通信部２０２を介して送信する。
なお、本実施の形態では、自装置のデータベースファイルと通信相手装置のデータベースファイルを比較し、通信相手装置に存在し、自装置には存在しないオーディオデータを複製する機能をオーディオシンク機能と呼ぶことにする。
次に、上記のように構成されたデータ送受信システムにおいて、車載用記録再生装置１００がオーディオシンク機能を用いて家庭用記録再生装置２００からオーディオデータを複製するときの動作について説明する。ここで、図２（ａ）、（ｂ）に示すデータベースファイル１２０とデータベースファイル２２０を比較すると、タイトルが‘５５５’の曲と‘６６６’の曲と‘７７７’の曲がデータベースファイル１２０には含まれていない。よって、オーディオシンク機能を用いると、この３曲が車載用記録再生装置１００に複製され、データベースファイル１２０に登録されることになる。
図３はオーディオシンク機能を実行する際の車載用記録再生装置１００および家庭用記録再生装置２００の動作を示すフローチャートである。図３において‘ＤＢ’とはデータベースの略称である。以後の図においても‘ＤＢ’とはデータベースを意味することとする。ここで、車載用記録再生装置１００は車のエンジンをかけたら電源が投入されるものとし、家庭用記録再生装置２００は常に電源が供給されていて、常時外部からアクセスできる状態であるとする。
なお、オーディオデータのようなデジタルデータの複製では著作権が保護される必要があるが、この点は本発明の主たる問題ではないため詳細は説明を割愛し、あらかじめ用意された著作権保護の規則に従うものとする。完全な複製を認めない、移動（Ｍｏｖｅ）やチェックイン・チェックアウト方式などにおいても本発明は適用可能である。
まず、車載用記録再生装置１００に電源が投入される（ステップＳ１０１）。次に車載用記録再生装置１００の要求部１０４は、オーディオシンク機能実行指示を家庭用記録再生装置２００へ通信部１０２を介して送信する（ステップＳ１０２）。すなわち、要求部１０４は、家庭用記録再生装置２００が有しているデータベースファイル２２０を車載用記録再生装置１００へ送信することを要求する送信要求を家庭用記録再生装置２００へ送信する。
家庭用記録再生装置２００は、車載用記録再生装置１００より送信されたオーディオシンク機能実行指示を受信する（ステップＳ１０３）。そして、応答部２０３は、ＡＣＫ（ａｃｋｎｏｗｌｅｄｇｅｍｅｎｔ）と記憶部２０１に保存されているデータベースファイル２２０を車載用記録再生装置１００へ通信部２０２を介して送信する（ステップＳ１０４）。
車載用記録再生装置１００は、オーディオシンク機能実行指示に対するＡＣＫとデータベースファイル２２０を家庭用記録再生装置２００から受信する（ステップＳ１０５）。そして、抽出部１０３は、家庭用記録再生装置２００から受信したデータベースファイル２２０と、記憶部２０１に保存されているデータベースファイル１２０とを比較する（ステップＳ１０６）。すなわち、抽出部１０３は、家庭用記録再生装置２００に存在し、車載用記録再生装置１００に存在しないオーディオデータがあるのか否か、ある場合はどのオーディオデータが車載用記録再生装置１００に存在していないかの情報を抽出し、要求部１０４へ通知する。要求部１０４は、この情報に対応するオーディオデータ、すなわち車載用記録再生装置１００に存在しないオーディオデータを送信することを要求する送信要求（比較結果）を、通信部１０２を介して家庭用記録再生装置２００へ送信する（ステップＳ１０７）。この情報により家庭用記録再生装置２００は、どのオーディオデータを車載用記録再生装置１００に複製すればよいのかを知ることができる。例えば、図４に示す例では、データベースファイル１２０には、データベースファイル２２０に存在するタイトルが‘５５５’の曲と‘６６６’の曲と‘７７７’の曲が含まれていない。よって、要求部１０４は、このタイトルが‘５５５’、‘６６６’、‘７７７’である曲に関する情報を家庭用記録再生装置２００へ送信することになる。
家庭用記録再生装置２００は、車載用記録再生装置１００より送信された送信要求を受信する（ステップＳ１０８）。応答部２０３は、この送信要求に基づいて車載用記録再生装置１００にどのオーディオデータを送信すればよいかを判断し、対象となったオーディオデータを車載用記録再生装置１００へ通信部２０２を介して送信する（ステップＳ１０９）。例えば、図４に示す例では、タイトルが‘５５５’、‘６６６’、‘７７７’である曲を特定するための情報が送信要求に付加されているので、応答部２０３は、このタイトルが‘５５５’、‘６６６’、‘７７７’である曲のオーディオデータを車載用記録再生装置１００へ送信することになる。
車載用記録再生装置１００は、家庭用記録再生装置２００から不足していたオーディオデータを受信する（ステップＳ１１０）。
以上のように、車載用記録再生装置１００のデータベースファイル１２０と家庭用記録再生装置２００のデータベースファイル２２０とを比較し、家庭用記録再生装置２００に存在し、車載用記録再生装置１００に存在しないオーディオデータを複製することによって、２台の記録再生装置間におけるオーディオデータの送受信を簡単かつ効率よく行うことができる。
ここで、図３において破線で囲まれたステップＳ１０９、Ｓ１１０でのデータ送受信は、例えばホットスポットなどの高速通信が可能な状態で行われる。一方、ステップＳ１０９、Ｓ１１０以外のステップは、車載用記録再生装置１００を搭載した車が家の車庫にあるときなどに、車載用記録再生装置１００と家庭用記録再生装置２００とが例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ，１１ｂ，１１ｇなどの無線ＬＡＮで通信ができる状態で行われる。また、破線で囲まれたステップＳ１０９、Ｓ１１０でのデータ送受信は、ステップＳ１０８において家庭用記録再生装置２００が車載用記録再生装置１００より送信要求を受信した後、時間的にはしばらく後に行われてもよい。このようにデータベースファイルの比較だけ終了しておけば、大量のオーディオデータを受信する場合でもデータ複製のために車の発進が遅れることはなく、効率よくオーディオシンク機能を実現するデータ送受信システムを構築することができる。
なお、本実施の形態１では、オーディオデータに関して説明しているが、これに限られるものではない。例えば、ビデオ（動画）データやピクチャ（静止画）データなど、あるいはカーナビゲーションの地図データなど、記録再生装置に保存できるデジタルデータであれば同様のシステムを構築することができる。
また、本実施の形態１では、記録再生装置として車載用と家庭用とを例に説明しているが、これに限られるものではない。例えば、携帯型の記録再生装置でもよく、２台の記録再生装置が互いに通信可能であれば同様のシステムを構築することができる。
また、本実施の形態１では、車載用記録再生装置１００と家庭用記録再生装置２００は、それぞれ通信部１０２と通信部２０２とにより無線ＬＡＮによって通信するものとしているが、これに限られたものではない。例えば、ＩＥＥＥ８０２．１１ａ，１１ｂ，１１ｇ以外の無線通信でもよい。あるいは有線通信としても同様のシステムを構築することができる。
また、図２においてオーディオデータに関する情報はアーティスト名、タイトル、録音時間としているがこれらに限られるものではなく、曲を識別できる情報であればよい。されに、例えばジャンルなど、単独では曲を識別できないような情報を含んでもよい。
また、車載用記録再生装置１００の電源はエンジンをかけたら投入されるとしたが、これに限られるものではない。例えば、２次電池を備える構成として、エンジンがかかっている状態のときはバッテリーから電源を供給してもらい、かつ、２次電池を充電し、エンジンがかかっていない状態のときは２次電池から電源を供給するとしても同様のシステムを構築することができる。
また、本実施の形態１では、図３中のステップＳ１０２におけるオーディオシンク機能実行指示の送信は電源が投入された時に、要求部１０４が行うものとして説明しているが、これに限られるものではない。例えば、車載用記録再生装置１００に「オーディオシンク」なるスイッチを設け、そのスイッチが押された時に要求部１０４が処理を開始するようにすることもできる。このオーディオシンク機能実行指示のコマンドデータやデータベースファイルは、オーディオデータと比較して容量の小さなものであるため携帯電話のデータ通信などでも可能であり、車が走行中に行うこともできる。先に説明したように２次電池を用いるなどして車載用記録再生装置１００に常時電源を投入する場合、家庭用記録再生装置２００のデータベースファイルが更新されたときに、更新されたことを示す情報を受信してオーディオシンク機能を実行させるようにしてもよい。あるいは家庭用記録再生装置２００側からオーディオシンク機能の実行指示を送信するとしてもよい。この場合、車載用記録再生装置に電源が投入されていない場合はＡＣＫを受信するまである一定間隔、例えば１分毎に実行指示を出し、ＡＣＫを受信しない場合は１０分でタイムアウトするというように構成すればよい。あるいは車載用記録再生装置１００から定期的に家庭用記録再生装置２００のデータベースファイルが更新されたか否かを確認し、更新されたときにオーディオシンク機能の実行指示を送信するとしてもよい。あるいは、カーナビゲーション装置と連動して、ＧＰＳ（Ｇｌｏｂａｌ  Ｐｏｓｉｔｉｏｎｉｎｇ  Ｓｙｓｔｅｍ）等を用いて車載用記録再生装置１００と家庭用記録再生装置２００の位置を管理し、所定の距離に近づいたらオーディオシンク機能の実行指示を送信するとしてもよい。また、オーディオシンク機能実行指示の送信後のデータベースファイルの送信やデータベースファイル比較などの処理についても、本実施の形態１で示した側とは逆の記録再生装置で行うとしても同様のシステムを構築することができる。
また、本実施の形態１では、図３中のステップＳ１０７において不足しているオーディオデータのオーディオに関する情報を送信するとしているが、これに限られるものではなく、例えばＩＤ番号（データベースファイルに含まれているとして）など、どの曲であるかを識別できる情報だけを送信するとしてもよい。
また、本実施の形態１では、図３中の破線で囲まれたステップＳ１０９、Ｓ１１０でのデータ送受信は、例えばホットスポットなどの高速通信が可能な状態で行うとしているがこれに限られるものではない。例えば、帰宅時等に、ステップＳ１０７における車載用記録再生装置１００に存在しないオーディオデータの送信要求を家庭用記録再生装置２００への送信までの動作を行い、対象のオーディオデータを家庭用記録再生装置２００においてリムーバブルメディアに記録する。そして、次の外出時等にリムーバブルメディアを車に持ち込み、リムーバブルメディアから車載用記録再生装置１００に対象のオーディオデータを複製するとしてもよい。あるいは、ステップＳ１０９、Ｓ１１０以外のステップと同様に無線ＬＡＮによってオーディオデータを送受信してもよい。あるいは、リムーバブルメディアと他の無線通信を組み合わせるとしても同様のシステムを構築することができる。
（実施の形態２）
本実施の形態２では実施の形態１において説明したデータ送受信システムにおいて、オーディオデータに関する情報としてさらに優先度を用いるデータ送受信システムについて説明する。
図４は本発明の実施の形態２に係るデータ送受信システムの構成を示すブロック図である。このデータ送受信システムにおいては、車載用記録再生装置３００が実施の形態１の車載用記録再生装置１００の構成に加えて優先度決定部３０１を、家庭用記録再生装置４００が実施の形態１の家庭用記録再生装置２００の構成に加えて優先度決定部４０１を備えている。なお、実施の形態１と同様の部分については同じ符号を付し、詳細な説明を省略する。
図５は、記憶部に保存されているデータベースファイルの一例を示す模式図であり、（ａ）車載用記録再生装置３００の記憶部１０１、（ｂ）家庭用記録再生装置４００の記憶部２０１に保存されているデータベースファイルの一例である。
図５（ａ）、（ｂ）に示すようにデータベースファイル３２０、４２０は、図２（ａ）、（ｂ）に示したデータベースファイル１２０、２２０の項目に加えて「優先度」という項目が追加されている点で異なる。この図５に示す例では、優先度を‘◎’、‘○’、‘△’、‘×’の４種類で表しており、‘◎’が最も優先度が高く、順に低くなり‘×’が最も優先度が低い。この優先度は、ユーザがこの曲を聴く頻度によって各記録再生装置において優先度決定部３０１および優先度決定部４０１が割り当てる。優先度決定部３０１および優先度決定部４０１は、例えば、１ヶ月で、２０回以上聴いた曲は‘◎’、１０回以上２０回未満聴いた曲は‘○’、５回以上１０回未満聴いた曲は‘△’、５回未満しか聴かなかった曲は‘×’というように優先度を決定する。さらに、優先度決定部３０１および優先度決定部４０１は、曲を聴いた回数もそれぞれデータベースファイル３２０、４２０に記録し、優先度を更新する（図４には記載せず）。
本実施の形態２におけるオーディオシンク機能を実行する際の車載用記録再生装置３００と家庭用記録再生装置４００の動作は、基本的には実施の形態１で説明した動作と同じであり、図３に示したフローチャートで表される。本実施の形態２におけるデータ送受信システムの動作と実施の形態１のデータ送受信システムの動作との相違点について、以下説明する。図６（ａ）は抽出部１０３により抽出されたデータベースファイル４２０に含まれていてデータベースファイル３２０含まれていないオーディオデータに関する情報のリストであり、図６（ｂ）はデータリスト３３０の項目で優先度が高い順に整列したデータリストである。
本実施の形態２では、ステップＳ１０７において車載用記録再生装置３００の要求部３０２は、車載用記録再生装置３００に存在しないオーディオデータの送信要求を行う際に、図６（ａ）に示すような優先度の情報を追加して送信する。
また、ステップＳ１０９において家庭用記録再生装置４００の応答部２０３は、送信要求とともに受信したオーディオデータに関する情報のリストを図６（ｂ）に示すように優先度が高い順に並び替えを行う。そして、応答部２０３は、この並び替えを行った順に対象となったオーディオデータを車載用記録再生装置１００へ通信部２０２を介して送信する。
以上のようにオーディオデータに優先度をつけ、優先度の高いオーディオデータを先に複製する。こうすることよって、車が発進するまでに複製の対象となるすべてのオーディオデータを複製することはできなくとも、優先度の高いオーディオデータは優先して複製することができる。優先度の高い曲、すなわちユーザのお気に入りの曲は車の発進前に無線ＬＡＮで複製を完了させ、優先度の高くない残りの曲は出先のホットスポットでダウンロードするというように、効率よくオーディオシンク機能を実行することができる。
なお、本実施の形態２においては、優先度を‘◎’、‘○’、‘△’、‘×’としているがこれに限られたものではない。例えば、優先度を数字で‘１’、‘２’、‘３’、‘４’としてもよい。また、優先度の段階は、４段階以外であっても同様のシステムを構築することができる。
また、優先度の決め方は、１ヶ月の間にその曲を聴いた頻度によって決定するとしているが、これに限られるものではない。例えば、期間は１ヶ月以外で設定してもよく、聴いた回数による優先度の段階分けも本実施の形態２で示した回数以外の数値でもよい。また、記録した日時によって優先度を決めてもよく、例えば新しいものは優先度を高く設定するなどしてもよい。あるいは、ユーザの好みのジャンルを登録しておき、自動的にジャンルを識別して優先度を割り当ててもよい。あるいは、優先度はユーザが任意に設定することとしても同様のシステムを構築することができる。
また、優先度の高い曲は無線ＬＡＮで複製を完了させ、優先度の高くない残りの曲は出先のホットスポットでダウンロードするとしているが、これに限られるものではない。例えば、車の発進までに時間があるのなら優先度の高くない曲も複製を完了させてもよく、また、複製が途中になった場合でもその続きを出先からダウンロードすればよい。あるいは、優先度の高い曲も複製する時間がない場合は実施の形態１と同様に出先からすべてのオーディオデータをダウンロードするとしてもよい。この場合でも優先度があることで１つ目のホットスポットで優先度が高い曲をダウンロードし、次のホットスポットで残りの曲をダウンロードするなど、効率よくダウンロードを行うことができる。
また、車載用記録再生装置３００に存在しないオーディオデータはすべてダウンロードするとしているが、これに限られるものではない。例えば、優先度が低いものはダウンロードしないとしてもよい。この場合、どの優先度までダウンロードの対象とするのかについては、車載用記録再生装置３００から家庭用記録再生装置４００に通知するか、あるいは事前に設定しておけばよい。
また、本実施の形態２では、ステップＳ１０７において要求部３０２は、オーディオデータの送信要求を行う際に、データベースファイル４２０に格納されていた優先度の情報をそのまま追加して送信するものとしているが、これに限られるものではない。例えば、要求部３０２は、送信する優先度をあらかじめ登録されているジャンル等の情報に基づいて変更してもよい。
また、本実施の形態２では、ステップＳ１０７において要求部３０２は、オーディオデータの送信要求を行う際に優先度の情報を追加して送信するものとしているが、これに限られるものではない。例えば、要求部３０２は、ＩＤ番号（データベースファイルに含まれているとして）など、どの曲であるかを識別できる情報だけを送信し、応答部２０３がこの情報によりデータベースファイル４２０からその曲の優先度を読み出して用いてもよい。
（実施の形態３）
本実施の形態３では、車載用記録再生装置と家庭用記録再生装置とにおいて双方向でオーディオデータをダウンロードするデータ送受信システムについて説明する。
図７は本発明の実施の形態３に係るデータ送受信システムの構成を示すブロック図である。このデータ送受信システムにおいては、車載用記録再生装置５００が実施の形態２の車載用記録再生装置３００の構成に加えて送出部５０１を備えている。なお、実施の形態２と同様の部分については同じ符号を付し、詳細な説明を省略する。また、車載用記録再生装置５００は図５に示すデータベースファイル３２０を、家庭用記録再生装置６００はデータベースファイル４２０を有しているものとする。
車載用記録再生装置５００の抽出部５０２は、家庭用記録再生装置６００より送信されたデータベースファイル４２０と、データベースファイル３２０とを比較し、家庭用記録再生装置６００には記録されているが車載用記録再生装置５００には記録されていないオーディオデータに関する情報と、車載用記録再生装置５００には記録されているが家庭用記録再生装置６００には記録されていないオーディオデータに関する情報とを抽出する。
車載用記録再生装置５００の送出部５０１は、抽出部５０２によって抽出された車載用記録再生装置５００には記録されているが家庭用記録再生装置６００には記録されていないオーディオデータを、通信部１０２を介して家庭用記録再生装置６００へ送信する。
車載用記録再生装置５００の要求部５０３は、家庭用記録再生装置６００には記録されているが車載用記録再生装置５００には記録されていないオーディオデータに関する情報に対応するオーディオデータを送信することを要求する送信要求に加えて、車載用記録再生装置５００には記録されているが家庭用記録再生装置６００には記録されていないオーディオデータに関する情報を通信部１０２を介して家庭用記録再生装置６００へ送信する。
図８は本実施の形態３におけるオーディオシンク機能を実行するときの車載用記録再生装置１００と家庭用記録再生装置２００の動作を示すフローチャートである。本実施の形態３におけるデータ送受信システムの動作と実施の形態２のデータ送受信システムの動作との相違点について、以下説明する。なお、図８に示すステップＳ１０１〜Ｓ１０６、ステップＳ１０８〜Ｓ２１０ついては、実施の形態２の場合と同様である。
ステップＳ１０７’において車載用記録再生装置５００の要求部５０３は、家庭用記録再生装置６００には記録されているが車載用記録再生装置５００には記録されていないオーディオデータに関する情報に対応するオーディオデータの送信要求に加えて、車載用記録再生装置５００には記録されているが家庭用記録再生装置６００には記録されていないオーディオデータに関する情報を通信部１０２を介して家庭用記録再生装置６００へ送信する。これにより、家庭用記録再生装置６００は車載用記録再生装置５００から送信されるオーディオデータが存在するか否かを、また存在する場合はどのようなオーディオデータであるかの情報を得る。例えば、図５で示したデータベースファイル３２０とデータベースファイル４２０の場合、車載用記録再生装置５００に保存されていて家庭用記録再生装置６００に保存されていない複製の対象となるオーディオデータは、データベースファイル３２０中のタイトル‘４４４４’という曲である。よって、要求部５０３は、実施の形態２で説明した図６（ａ）に示すようなオーディオデータに関する情報のリストに加えて、データベースファイル３２０中のタイトル‘４４４４’という曲に関する情報についても家庭用記録再生装置６００へ送信することになる。
ステップＳ２０１においては、車載用記録再生装置５００の送出部５０１は、抽出部５０２によって抽出された車載用記録再生装置５００には記録されているが家庭用記録再生装置６００には記録されていないオーディオデータを、通信部１０２を介して家庭用記録再生装置６００へ送信する。そしてステップＳ２０２において、家庭用記録再生装置６００は車載用記録再生装置５００より送信されたオーディオデータを通信手段２０１を介して受信する。例えば、図５で示したデータベースファイル３２０とデータベースファイル４２０の場合、送出部５０１は、データベースファイル３２０中のタイトル‘４４４４’という曲のオーディオデータを家庭用記録再生装置６００へ送信することになる。
以上のように双方向でオーディオデータのダウンロードをすることにより車載用記録再生装置５００と家庭用記録再生装置６００いずれの機器においても新規で保存したオーディオデータを共有することができる。
なお、図８で示したフローチャート内の破線で囲まれたステップＳ１０９およびステップＳ１１０におけるデータ送受信を先に、ステップＳ２０１およびステップＳ２０２におけるデータ送受信を後で行っているが、この時間的関係はこれに限られるものではない。例えば、先にステップＳ２０１およびステップＳ２０２におけるデータ送受信の処理を行ってからステップＳ１０９およびステップＳ１１０におけるデータ送受信の処理を行ってもよい。あるいは、それぞれが随時、データの送受信を行ってもよく、時間的な前後関係にとらわれることなくシステムを構築することができる。
（実施の形態４）
本実施の形態４では車載用記録再生装置と家庭用記録再生装置とにおいて、一方の装置でオーディオデータの削除があった場合のデータ送受信システムについて説明する。
図９は本発明の実施の形態４に係るデータ送受信システムの構成を示すブロック図である。このデータ送受信システムにおいては、車載用記録再生装置７００が実施の形態３の車載用記録再生装置５００の構成に加えて削除決定部７０１を備えている。なお、実施の形態３と同様の部分については同じ符号を付し、詳細な説明を省略する。
図１０は、記憶部に保存されているデータベースファイルの一例を示す模式図であり、（ａ）車載用記録再生装置７００の記憶部１０１、（ｂ）家庭用記録再生装置６００の記憶部２０１に保存されているデータベースファイルの一例である。図１０に示すようにデータベースファイル７１０、６１０は、図５に示したデータベースファイル３２０、４２０の項目に加えて「複製元」および「複製先」という項目が追加されている点が相違する。この「複製元」とは、オーディオデータを保存するときにどこから保存したものであるかを示す情報で、例えば‘ＣＤ’から、あるいは‘インターネット’から、などである。また、「複製先」とは、オーディオデータを複製するときにどこへ複製したかを示す情報で、例えば‘車載用記録再生装置’へ、あるいは‘家庭用記録再生装置’へ、などである。
また、図１０に示したデータベースファイルは、図５で示したデータベースファイルの状態からオーディオシンク機能によってオーディオデータの複製を終えた状態のデータベースファイルである。各実施の形態で示したようにオーディオシンク機能を実行すると、車載用記録再生装置７００と家庭用記録再生装置６００は同様のデータベースファイルとオーディオデータとをそれぞれが保持することになる。
車載用記録再生装置７００の削除決定部７０１は、データベースファイル７１０の項目である「複製元」、「複製先」および「優先度」を確認することでその曲を家庭用記録再生装置６００へ複製するのか、あるいは車載用記録再生装置７００自身の記憶部１０１から削除するのかを決定する。
次に、上記のように構成されたデータ送受信システムにおいて、図１０に示す状態から家庭用記録再生装置６００にてオーディオデータの削除が行われた後に、オーディオシンク機能を実行した場合の動作について、以下に説明する。ここでは、優先度が‘×’のオーディオデータ、すなわち、データベースファイル６１０におけるハッチングの部分が削除されたものとする。
基本的な動作については実施の形態３での動作と同様であり、図８に示したフローチャートに従う。本実施の形態４では図８中のステップＳ１０６において、車載用記録再生装置７００には記録されているが家庭用記録再生装置６００には記録されていないオーディオデータに対する処理が実施の形態３とは異なる。図１１は車載用記録再生装置７００には記録されているが家庭用記録再生装置６００には記録されていないオーディオデータに対する処理の流れを示すフローチャートである。
削除決定部７０１は、対象となる曲、すなわち抽出部５０２によって抽出された車載用記録再生装置７００のデータベースファイル７１０には存在し、家庭用記録再生装置６００のデータベースファイル６１０には存在しない曲の、データベースファイル７１０における複製元および複製先を確認する（ステップＳ３０１）。ここで、この複製元および複製先が家庭用記録再生装置６００となっていない場合（ステップＳ３０１でＮＯ）には、この曲が家庭用記録再生装置６００にとって新規登録の対象となる曲であることを意味するため、複製対象の曲であることをデータベースの比較結果とし（ステップＳ３０４）、処理を終了する。後に、図８中のステップＳ１０７’でこの曲の存在は他の情報とともに家庭用記録再生装置６００へ送信される。
一方、複製元または複製先が家庭用記録再生装置６００となっている場合（ステップＳ３０１でＹＥＳ）には、その曲は家庭用記録再生装置６００において削除されたことを意味している。そこで、削除決定部７０１は、その曲の優先度を確認する（ステップＳ３０２）。削除決定部７０１は、この優先度が所定のレベルより上である場合、例えば‘△’以上の場合は優先度が高いと判断し、そうでない場合は優先度が低いと判断する。ここで、優先度が高いと判断された場合（ステップＳ３０２でＹＥＳ）には、その曲は車載用記録再生装置７００では必要と判断されたことを意味する。このため、削除決定部７０１は、その曲をそのまま保持しておくことを決定（ステップＳ３０３）し、処理を終了する。逆に、優先度が低いと判断された場合（ステップＳ３０２でＮＯ）には、その曲は、家庭用記録再生装置６００で削除され、かつ、車載用記録再生装置７００にとっても不要と判断されたことを意味する。このため、削除決定部７０１は、その曲を削除し（ステップＳ３０５）、処理を終了する。
例えば、図７の場合、データベースファイル６１０で削除された曲‘４４４’と‘９９９’は、データベースファイル７１０において、ともに複製元が‘家庭用記録再生装置’と、曲‘４４４４’は複製先が‘家庭用記録再生装置’となっており、‘４４４’は優先度が‘×’のため削除され、‘４４４４’は優先度が‘△’、‘９９９’は優先度が‘○’のためそのまま保持するということになる。
このように、車載用記録再生装置７００には存在するが家庭用記録再生装置６００には存在しない曲については、データベースファイル７１０の項目で「複製元」、「複製先」および「優先度」を確認することでその曲を家庭用記録再生装置６００へ複製するのか、あるいは車載用記録再生装置７００自身の記憶部１０１から削除するのかを決定している。このようにデータベースファイルの項目「複製元」、「複製先」および「優先度」を利用することで、家庭では普段聴かないが車ではよく聴くといった曲に対しても誤って削除されることない。また、家庭では必要とされていない曲を無駄に複製することのないオーディオシンク機能を実現するデータ送受信システムを構築することができる。
次に、図１０に示す状態から車載用記録再生装置７００にてオーディオデータの削除が行われた後に、オーディオシンク機能を実行した場合の動作について、以下に説明する。ここでは、曲‘７７７’のオーディオデータ、すなわち、データベースファイル７１０におけるハッチングの部分が削除されたものとする。
基本的な動作については上記の動作と同様であり、図８に示したフローチャートに従う。図８中のステップＳ１０６において、家庭用記録再生装置６００には記録されているが車載用記録再生装置７００には記録されていないオーディオデータに対する処理が実施の形態３までとは異なる。図１２は家庭用記録再生装置６００には記録されているが車載用記録再生装置７００には記録されていないオーディオデータに対する処理の流れを示すフローチャートである。
削除決定部７０１は、対象となる曲、すなわち抽出部５０２によって抽出された家庭用記録再生装置６００のデータベースファイル６１０には存在し、車載用記録再生装置７００のデータベースファイル７１０には存在しない曲の、データベースファイル６１０における複製元および複製先を確認する（ステップＳ４０１）。ここで、この複製元および複製先が車載用記録再生装置７００となっていない場合（ステップＳ４０１でＮＯ）には、この曲が車載用記録再生装置７００にとって新規登録の対象となる曲であることを意味するため、複製対象の曲であることをデータベースの比較結果とし（ステップＳ４０２）、処理を終了する。後に、図８中のステップＳ１０７’でこの曲の存在は他の情報とともに家庭用記録再生装置６００へ送信される。
一方、複製元または複製先が車載用記録再生装置７００となっている場合（ステップＳ４０１でＹＥＳ）には、その曲は車載用記録再生装置７００において削除されたと判断して処理を終了する。
例えば、図１０の場合、データベースファイル７１０で削除された曲‘７７７’は、データベースファイル６１０において、複製先が‘車載用記録再生装置’となっているので、過去に家庭用記録再生装置６００から複製された後に車載用記録再生装置７００で削除されたことを意味するため、複製の対象としない。
このように、家庭用記録再生装置６００には存在するが車載用記録再生装置７００には存在しない曲については、データベースファイル６１０の項目で「複製元」、「複製先」および「優先度」を確認することでその曲を車載用記録再生装置７００へ複製するのかを決定している。このようにデータベースファイルの項目「複製元」、「複製先」および「優先度」を利用することで、一度削除した曲、すなわち、車載用記録再生装置７００で不要と判断された曲を再び複製することを防ぐオーディオシンク機能を実現するデータ送受信システムを構築することができる。
以上のようにオーディオシンク機能を実現するデータ送受信システムにおいて、データベースファイルの項目「複製元」、「複製先」および「優先度」を利用することで、一方の記録再生装置にだけ存在する曲に対しての処理をユーザの嗜好に合わせて決めることができ、ユーザに使い勝手のよいデータ送受信システムを構築することができる。
なお、本実施の形態４では、家庭用記録再生装置６００には記録されているが車載用記録再生装置７００には記録されていないオーディオデータに対する処理において、車載用記録再生装置７００で削除されたと判断されるオーディオデータについて、家庭用記録再生装置６００側で優先度に基づいて削除を行う処理を行っていないが、これに限られるものではない。例えば、車載用記録再生装置７００には記録されているが家庭用記録再生装置６００には記録されていないオーディオデータに対する処理の場合と同様に、車載用記録再生装置７００で削除されたと判断されるオーディオデータについて、家庭用記録再生装置６００側で優先度に基づいて削除を行う処理を行ってもよい。
なお、本実施の形態４では、データベースファイルの項目「複製元」、「複製先」および「優先度」を利用するとしたが、「優先度」を用いずにシステムを構築することも可能である。このシステムにおいても一度削除したものを再び複製することを防止することができる。
（実施の形態５）
本実施の形態５では、実施の形態４で説明した、一方の装置でオーディオデータの削除があった場合におけるデータ送受信システムの他の形態について説明する。
本発明の実施の形態５におけるシステムの構成は図９で示したものと同様である。
図１３は、記憶部に保存されているデータベースファイルの一例を示す模式図であり、（ａ）車載用記録再生装置７００の記憶部１０１、（ｂ）家庭用記録再生装置６００の記憶部２０１に保存されているデータベースファイルの一例である。図１３に示したデータベースファイル７２０、６２０は、図５に示したデータベースファイル３２０、４２０の項目に加えて「削除」という項目が追加されている点が相違する。この「削除」の項目が「○」となっているオーディオデータはその機器において削除されたことを意味し、データベースファイル上には存在するが、実際のオーディオデータは存在しない。
図１３に示したデータベースファイルは、図５で示したデータベースファイルの状態からオーディオシンク機能によってオーディオデータの複製を終えた状態のデータベースファイルである。つまり、車載用記録再生装置７００と家庭用記録再生装置６００は同様のデータベースファイルとオーディオデータとをそれぞれが保持することになる。
車載用記録再生装置７００の削除決定部７０１は、データベースファイル７２０の項目である「削除」および「優先度」を確認することでその曲を家庭用記録再生装置６００へ複製するのか、あるいは車載用記録再生装置７００自身の記憶部１０１から削除するのかを決定する。
次に、上記のように構成されたデータ送受信システムにおいて、図１３に示す状態から家庭用記録再生装置６００にてオーディオデータの削除が行われた後に、オーディオシンク機能を実現した場合の動作について、以下に説明する。ここでは実施の形態４同様、優先度が‘×’のオーディオデータ、すなわち、データベースファイル６２０におけるハッチングの部分が削除されたとし、削除後のデータベースファイルを図１４に示す。上記の説明のとおり、データベースファイル６２０′では、オーディオデータが削除された曲はデータベースファイルからは削除されずに「削除」の項目が「○」となる。
基本的な動作については実施の形態４での動作と同様であり、図８に示したフローチャートに従う。本実施の形態５では図８中のステップＳ１０６において抽出部５０２の処理方法が異なる。図１５は本実施の形態５における「削除」項目を用いた抽出部５０２のデータベース比較処理のフローチャートである。
なお、図１５に示した動作は、実施の形態３で説明したデータベース比較処理が終わった後に行われるものである。つまり、車載用記録再生装置７００、あるいは家庭用記録再生装置６００、どちらか一方にのみ存在するオーディオデータに関しては既に抽出部５０２によって抽出されているものとする。「削除」項目が「○」のものは、オーディオデータは存在しないが、データベースファイル上には存在するため、このデータベース比較処理では対象とならない。
図１５のフローチャートの詳細を説明する。まず、抽出部５０２は、データベースファイル６２０′のそれぞれの曲について「削除」項目が「○」であるか否かを確認する（ステップＳ５０１）。最終的には、抽出部５０２は、「削除」項目が「○」となっている曲をデータベースファイル６２０′からすべて抽出することになる。「削除」項目が「○」でない場合（ステップＳ５０１でＮＯ）には、オーディオデータは車載用記録再生装置７００と家庭用記録再生装置６００の双方に存在することを意味するため処理を終了する。
一方、「削除」項目が「○」である場合（ステップＳ５０１でＹＥＳ）には、削除決定部７０１は、対象となる曲、すなわち抽出部５０２によって抽出された「削除」項目が「○」となっている曲について、データベースファイル７２０における優先度を確認する（ステップＳ５０２）。この優先度が所定のレベルより上である場合、例えば‘△’以上の場合は優先度が高いと判断し、そうでない場合は、優先度が低いと判断する。ここで、優先度が高いと判断された場合は（ステップＳ５０２でＹＥＳ）、その曲は車載用記録再生装置７００では必要と判断されたことを意味する。このため、削除決定部７０１は、その曲をそのまま保持しておくことを決定（ステップＳ５０３）し、処理を終了する。逆に、優先度が低いと判断された場合（ステップＳ５０２でＮＯ）には、その曲は、家庭用記録再生装置６００で削除され、かつ、車載用記録再生装置７００にとっても不要と判断されたことを意味する。このため、削除決定部７０１は、その曲を削除し（ステップＳ５０４）、処理を終了する。
例えば、図１４の場合、データベースファイル６２０′で「削除」項目が「○」の曲、‘４４４’はデータベースファイル７２０上での優先度が‘×’のため、データベースファイル７２０の「削除」項目を「○」にして、そのオーディオデータは削除される。‘４４４４’と‘９９９’はデータベースファイル７２０上での優先度がともに‘△’以上であるためそのまま保持される。
このように、車載用記録再生装置７００には存在するが、家庭用記録再生装置６００では削除された曲については、「削除」および「優先度」を確認することで車載用記録再生装置７００自身の記憶部１０１から削除するのかを決定している。このようにデータベースファイルの項目「削除」、「優先度」を利用することで、家庭では普段聴かないが車ではよく聴くといった曲に対しても誤って削除されることはない。また、家庭では必要とされていない曲を無駄に複製することのないオーディオシンク機能を実現するデータ送受信システムを構築することができる。
次に、図１３に示す状態から車載用記録再生装置７００にてオーディオデータの削除が行われた後に、オーディオシンク機能を実行した場合について説明する。この場合は、車載用記録再生装置７００にオーディオデータは存在しないが、データベースファイルには削除された曲の情報が残っているため、データベース比較を行っても複製の対象として抽出部５０２から抽出されることはない。また、実施の形態４で述べたように、削除した曲を家庭用記録再生装置６００においても削除したい場合などは、家庭用記録再生装置６００での優先度を確認して、削除するか否かを決定すればよい。
以上のように、オーディオシンク機能を実現するデータ送受信システムにおいて、データベースファイルの項目「削除」と「優先度」を利用することで、削除された曲を再び複製することを防ぎ、あるいは、削除したことを他方の記録再生装置に反映させる、ユーザに使い勝手のよいデータ送受信システムを構築することができる。
なお、本実施の形態５では、データベースファイルの項目「削除」および「優先度」を利用するとしたが、「優先度」を用いずにシステムを構築することも可能である。このシステムにおいても一度削除したものを再び複製することを防止することができる。
（実施の形態６）
本実施の形態６では、実施の形態２において説明したデータ送受信システムにおいて、車載用記録再生装置の記憶部の空き容量を考慮したデータ送受信システムについて説明する。
図１６は本発明の実施の形態６に係るデータ送受信システムの構成を示すブロック図である。このデータ送受信システムにおいては、家庭用記録再生装置９００が実施の形態２の家庭用記録再生装置４００の構成に加えて圧縮部９０２を備えている。なお、実施の形態２と同様の部分については同じ符号を付し、詳細な説明を省略する。
車載用記録再生装置８００の要求部８０２は、家庭用記録再生装置９００には記録されているが車載用記録再生装置８００には記録されていないオーディオデータに関する情報に対応するオーディオデータの送信要求を行う際に、このオーディオデータのデータ量および記憶部１０２の空き容量に基づいてオーディオデータの圧縮指示を行うか否かの決定を行う。
家庭用記録再生装置９００の応答部９０１は、オーディオデータの送信要求に圧縮指示が含まれているか否かにより圧縮部９０２への圧縮指示を行う。家庭用記録再生装置９００の圧縮部９０２は、記憶部２０２に保存されているオーディオデータを車載用記録再生装置へ送信する際に、オーディオデータを圧縮する。
本実施の形態６におけるオーディオシンク機能を実行する際の車載用記録再生装置８００と家庭用記録再生装置９００との動作は、基本的には実施の形態２で説明した動作と同じであり、図３に示したフローチャートで表される。本実施の形態６におけるデータ送受信システムの動作と実施の形態２のデータ送受信システムの動作との相違点について、以下説明する。図１７は家庭用記録再生装置９００には記録されているが車載用記録再生装置８００には記録されていないオーディオデータに対する処理の流れを示すフローチャートである。なお、データベースファイルには、各オーディオデータのデータ量が含まれているものとする。
車載用記録再生装置８００の要求部８０２は、抽出部１０３によって抽出された家庭用記録再生装置９００には記録されているが車載用記録再生装置８００には記録されていないオーディオデータに関する情報が存在する場合、このオーディオデータのデータ量および記憶部１０２の空き容量を確認する（ステップＳ６０１）。ここで、このオーディオデータを複製するのに記憶部１０２の空き容量が十分である場合（ステップＳ６０１でＹＥＳ）には、実施の形態２と同様にオーディオデータの送信要求（比較結果送信）を行う（ステップＳ１０７）。
一方、このオーディオデータを複製するのに記憶部１０２の空き容量が不十分である場合（ステップＳ６０１でＮＯ）には、要求部８０２は、オーディオデータの複製に必要な容量と、記憶部１０２の空き容量とに基づいて圧縮率を求め、圧縮指示を決定する（ステップＳ６０２）。そして、要求部８０２は、実施の形態２と同様にオーディオデータの送信要求（比較結果送信）とともに、その圧縮指示を家庭用記録再生装置９００へ送信する（ステップＳ１０７）。
オーディオデータの送信要求を受信した家庭用記録再生装置９００の応答部９０１は、圧縮指示が含まれているか否かを確認する。この結果、圧縮指示が含まれている場合には、応答部９０１は圧縮部９０２に対してオーディオデータの圧縮を指示する。圧縮指示が含まれていない場合には圧縮部９０２に対してオーディオデータを圧縮しないように指示する。圧縮部９０２は、圧縮指示された場合にはオーディオデータを圧縮して送信し、圧縮しないように指示された場合にはオーディオデータを圧縮せずに送信する。
このように記憶部１０２の空き容量を考慮して、圧縮するか否か、また圧縮する場合は圧縮率をどうするか、を決めることで、記憶部１０２を効率よく利用したデータ送受信システムを構築することができる。
なお、本実施の形態では、実施の形態２に基づいて家庭用記録再生装置９００には記録されているが車載用記録再生装置８００には記録されていないオーディオデータを複製する場合について説明したが、これに限られるものではない。実施の形態３のように双方向に複製を行う場合には、例えば、データベースファイルの送信時に家庭用記録再生装置９００の記憶部２０２の空き容量を送信し、車載用記録再生装置８００より送信されたオーディオデータを圧縮部９０２で圧縮するように構成すればよい。
また、本実施の形態では、圧縮部は家庭用記録再生装置９００側にだけ示しているが、車載用記録再生装置８００側にも設置する構成としても同様のシステムを構築することができる。この場合は、車載用記録再生装置８００から受信した比較結果より家庭用記録再生装置で圧縮するか否かを判断して、圧縮指示を車載用記録再生装置８００に送信すればよい。
また、本実施の形態では、圧縮するか否かは複製するオーディオデータのデータ量と記憶部の空き容量から判断するとしているが、これに限られるものではない。例えば、ユーザがあらかじめ圧縮率を設定しておくとしてもよい。あるいは、例えば優先度が高いオーディオデータは圧縮なしで、優先度が低いオーディオデータは圧縮ありとする等、優先度によってその圧縮率を変化させるとしても良い。また、優先度が所定の値より低いオーディオデータを削除して空き容量を増やすとしても同様のシステムを構築することができる。
（実施の形態７）
実施の形態１〜６においては、オーディオデータを例にデジタルデータのデータ送受信システムを説明した。本実施の形態７では送受信するデジタルデータが２種類以上の異なるコンテンツを含むときのデータ送受信システムについて説明する。
図１８は本発明の実施の形態７に係るデータ送受信システムの構成を示すブロック図である。このデータ送受信システムにおいては、車載用記録再生装置１０００では実施の形態５の車載用記録再生装置８００にユーザＩ／Ｆ部１００１が接続される構成となっている。なお、実施の形態５と同様の部分については同じ符号を付し、詳細な説明を省略する。
実施の形態１〜６でオーディオシンク機能と称していた機能をデジタルコンテンツシンク機能と呼ぶことにし、オーディオデータだけでなく画像（動画像）データ、ピクチャ（静止画）データなど様々なデジタルコンテンツデータの送受信を行う機能を表すとする。ここではオーディオデータと画像データが混在したデジタルデータを送受信する場合を例にして説明する。ここで、画像データはオーディオデータと比べてそのデータサイズが非常に大きいものとする。
本実施の形態７においてデジタルコンテンツシンク機能を実行する際の車載用記録再生装置１０００と家庭用記録再生装置９００との動作は、図３で示したフローチャートと基本的に同じである。本実施の形態６では、図３中のステップＳ１０６において、車載用記録再生装置１０００には記録されているが家庭用記録再生装置９００には記録されていないデジタルコンテンツデータに対する処理が実施の形態５とは異なる。図１９は車載用記録再生装置１０００には記録されているが家庭用記録再生装置９００には記録されていないデジタルコンテンツデータに対する処理の流れを示すフローチャートである。
車載用記録再生装置１０００の抽出部１００２は、実施の形態１〜６と同様に家庭用記録再生装置９００には記録されているが車載用記録再生装置１０００には記録されていないデジタルコンテンツデータに関する情報を抽出する（ステップＳ７０１）。そして、抽出部１００２は、抽出した複製対象となるデジタルコンテンツデータの中に画像データが存在するか否かを確認する（ステップＳ７０２）。ここで、画像データが存在する場合（ステップＳ７０２でＹＥＳ）には、抽出した複製対象となるデジタルコンテンツデータのリストをユーザＩ／Ｆ部１００１へ出力する。このリストの中から複製するデジタルコンテンツデータが、ユーザにより選択される。抽出部１００２は、選択されたデジタルコンテンツデータに関する情報を要求部８０２へ通知し、各実施の形態と同様にデジタルコンテンツデータの送信要求（比較結果送信）を行う（ステップＳ１０７）。これにより、選択されたデジタルコンテンツデータだけが複製されることになる。
一方、画像データが存在しない場合（ステップＳ７０２でＮＯ）には、本実施の形態では複製する対象がオーディオデータだけということを意味し、要求部８０２は各実施の形態と同様にオーディオデータの送信要求（比較結果送信）を行う（ステップＳ１０７）。
以上のように、データサイズが大きな画像データに対してはすべてのデータを複製するのではなく、ユーザが選択したものだけを複製することにより、効率よいデータの送受信を行うデータ送受信システムを構築することができる。
なお、本実施の形態７では、混在するデジタルコンテンツデータは画像データとオーディオデータとしているが、これに限られるものではない。例えば、ピクチャデータやそれ以外のデジタルコンテンツデータも同様に用いることができる。また、混在するデジタルコンテンツデータの種類も２種類以上の場合でも同様のシステムを構築することができる。
また、画像データは複製するか否かをユーザが選択して決めるとしているが、これに限られるものではない。例えば、オーディオデータもユーザが選択するとしてもよい。また、選択するか否かはデータのファイルサイズや伝送路の状態によって決めるようにしてもよい。あるいは、画像データもオーディオデータと同様に実施の形態１〜６で説明した方法で複製する対象を決定しても同様のシステムを構築することができる。
産業上の利用の可能性
以上のように、本発明に係るデータ送受信システムは、２台の記録再生装置間においてデジタルデータの送受信を簡単かつ効率よく行うことができ、例えば車載用記録再生装置と家庭用記録再生装置等との間でのデータの送受信を行うのに有用である。
【図１】
2005020076.tif 000003
【図２】
2005020076.tif 000004
【図３】
2005020076.tif 000005
【図４】
2005020076.tif 000006
【図５】
2005020076.tif 000007
【図６】
2005020076.tif 000008
【図７】
2005020076.tif 000009
【図８】
2005020076.tif 000010
【図９】
2005020076.tif 000011
【図１０】
2005020076.tif 000012
【図１１】
2005020076.tif 000013
【図１２】
2005020076.tif 000014
【図１３】
2005020076.tif 000015
【図１４】
2005020076.tif 000016
【図１５】
2005020076.tif 000017
【図１６】
2005020076.tif 000018
【図１７】
2005020076.tif 000019
【図１８】
2005020076.tif 000020
【図１９】
2005020076.tif 000021
【手続補正書】
【提出日】平成16年8月11日(2004.8.11)
【手続補正００１】
【補正対象書類名】特許請求の範囲
【補正対象項目名】全文
【補正方法】変更
【補正の内容】
【特許請求の範囲】
【請求項１】
入力データの記録および再生を行う第１記録再生装置および第２記録再生装置を備え、前記第１記録再生装置と前記第２記録再生装置との間でデータを送受信するデータ送受信システムであって、
前記第１記録再生装置は、
デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを記憶するための第１記憶手段と、
前記第２記録再生装置より送信された第２データベースファイルと、前記第１データベースファイルとを比較し、前記第１記録再生装置には記録されているが前記第２記録再生装置には記録されていないデジタルデータに対応するデジタルデータに関する情報を前記第１データベースファイルから抽出する抽出手段と、
前記抽出されたデジタルデータに関する情報、および前記抽出されたデジタルデータに関する情報に対応するデジタルデータを前記第１記憶手段から削除するか否かを、前記複製元の情報および前記複製先の情報に基づいて決定する削除決定手段とを備え、
前記第２記録再生装置は、
デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する前記第２データベースファイルとを記憶するための第２記憶手段と、
前記第２データベースファイルを前記第１記録再生装置へ送信する送信手段とを備える
ことを特徴とするデータ送受信システム。
【請求項２】
（削除）
【請求項３】
（削除）
【請求項４】
前記第１データベースファイルおよび前記第２データベースファイルに格納された各デジタルデータに関する情報には、さらに優先度を示す情報を含み、
前記削除決定手段は、前記抽出されたデジタルデータに関する情報、および前記抽出されたデジタルデータに関する情報に対応するデジタルデータを削除するか否かを、さらに当該デジタルデータの前記優先度に基づいて決定する
ことを特徴とする請求の範囲１記載のデータ送受信システム。
【請求項５】
（削除）
【請求項６】
（削除）
【請求項７】
（削除）
【請求項８】
（削除）
【請求項９】
前記第１記録再生装置は、さらに、
前記抽出されたデジタルデータに関する情報、および前記抽出されたデジタルデータに関する情報に対応するデジタルデータを、前記第２記録再生装置へ送信する送出手段を備える
ことを特徴とする請求の範囲１記載のデータ送受信システム。
【請求項１０】
前記送出手段は、前記抽出されたデジタルデータに関する情報、および前記抽出されたデジタルデータに関する情報に対応するデジタルデータを前記第２記録再生装置へ送信するか否かを、当該デジタルデータの前記複製元の情報および前記複製先の情報に基づいて決定する
ことを特徴とする請求の範囲９記載のデータ送受信システム。
【請求項１１】
前記第１データベースファイルおよび前記第２データベースファイルに格納された各デジタルデータに関する情報は、優先度を示す情報を含み、
前記送出手段は、前記抽出されたデジタルデータに関する情報、および前記抽出されたデジタルデータに関する情報に対応するデジタルデータを前記第２記録再生装置へ送信するか否かを、前記優先度に基づいて決定する
ことを特徴とする請求の範囲９に記載のデータ送受信システム。
【請求項１２】
前記第１記録再生装置または前記第２記録再生装置は、車に搭載される
ことを特徴とする請求の範囲１に記載のデータ送受信システム。
【請求項１３】
入力データの記録および再生を行うとともに、他装置との間でデータを送受信する記録再生装置であって、
デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを記憶するための記憶手段と、
受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、前記第１データベースファイルとを比較し、当該記録再生装置には記録されているが前記他装置には記録されていないデジタルデータに対応するデジタルデータに関する情報を前記第１データベースファイルから抽出する抽出手段と、
前記抽出されたデジタルデータに関する情報、および前記抽出されたデジタルデータに関する情報に対応するデジタルデータを前記記憶手段から削除するか否かを、前記複製元の情報および前記複製先の情報に基づいて決定する削除決定手段とを備える
ことを特徴とする記録再生装置。
【請求項１４】
他装置との間でデータを送受信するとともに、記録しているデータを管理するデータ送受信方法であって、
受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、当該記録再生装置が記憶するデジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを比較し、当該記録再生装置には記録されているが前記他装置には記録されていないデジタルデータに対応するデジタルデータに関する情報を前記第１データベースファイルから抽出する抽出ステップと、
前記抽出されたデジタルデータに関する情報、および前記抽出されたデジタルデータに関する情報に対応するデジタルデータを削除するか否かを、前記複製元の情報および前記複製先の情報に基づいて決定する削除決定ステップとを含む
ことを特徴とするデータ送受信方法。
【請求項１５】
他装置との間でデータを送受信するとともに、記録しているデータを管理するためのプログラムであって、
受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、当該記録再生装置が記憶するデジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを比較し、当該記録再生装置には記録されているが前記他装置には記録されていないデジタルデータに対応するデジタルデータに関する情報を前記第１データベースファイルから抽出する抽出ステップと、
前記抽出されたデジタルデータに関する情報、および前記抽出されたデジタルデータに関する情報に対応するデジタルデータを削除するか否かを、前記複製元の情報および前記複製先の情報に基づいて決定する削除決定ステップとを
コンピュータに実行させることを特徴とするプログラム。
【請求項１６】
前記記録再生装置は、さらに、
前記抽出されたデジタルデータに関する情報、および前記抽出されたデジタルデータに関する情報に対応するデジタルデータを、前記他装置へ送信する送出手段を備え、
前記送出手段は、前記抽出されたデジタルデータに関する情報、および前記抽出されたデジタルデータに関する情報に対応するデジタルデータを前記他装置へ送信するか否かを、当該デジタルデータの前記複製元の情報および前記複製先の情報に基づいて決定する
ことを特徴とする請求の範囲１３に記載の記録再生装置。
【請求項１７】
前記データ送受信方法は、さらに、
前記抽出ステップにより抽出されたデジタルデータに関する情報、および前記抽出されたデジタルデータに関する情報に対応するデジタルデータを前記他装置へ送信するか否かを、当該デジタルデータの前記複製元の情報および前記複製先の情報に基づいて決定する送信送出ステップを含む
ことを特徴とする請求の範囲１４に記載のデータ送受信方法。
【請求項１８】
前記プログラムは、さらに、
前記抽出ステップにより抽出されたデジタルデータに関する情報、および前記抽出されたデジタルデータに関する情報に対応するデジタルデータを前記他装置へ送信するか否かを、当該デジタルデータの前記複製元の情報および前記複製先の情報に基づいて決定する送信送出ステップを
コンピュータに実行させることを特徴とする請求の範囲１５に記載のプログラム。
【手続補正００２】
【補正対象書類名】明細書
【補正対象項目名】０００２
【補正方法】変更
【補正の内容】
【０００２】
２９０６５号公報参照。）。
しかしながら、上記特許文献１のファイル同期システムでは通信状態が安定したインターネット環境を想定しており、車などのような通信状態が不安定な環境での効率よいファイル同期については記載されていない。
また、一般のファイル同期では、双方のマシンのファイルの内容を全く同じ状態にすることが想定されている。このようなファイル同期を、車載用記録再生装置と家庭用記録再生装置との間に適用しようしても、例えば車で聴く音楽は、家庭で聴く音楽とはジャンルが異なるというユーザも少なくないことから、ユーザの求めるオーディオデータの複製を行うことができない場合が多い。
【発明の開示】
そこで、本発明は上記の事情に鑑みてなされたものであり、２台の記録再生装置間におけるデジタルデータを効率よく送受信することができるデータ送受信システム、データ送受信方法および記録再生装置を提供することを目的とする。
上記目的を達成するため、本発明に係るデータ送受信システムは、入力データの記録および再生を行う第１記録再生装置および第２記録再生装置を備え、前記第１記録再生装置と前記第２記録再生装置との間でデータを送受信するデータ送受信システムであって、前記第１記録再生装置は、デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを記憶するための第１記憶手段と、前記第２記録再生装置より送信された第２データベースフ


【手続補正００３】
【補正対象書類名】明細書
【補正対象項目名】０００３
【補正方法】変更
【補正の内容】
【０００３】
ァイルと、前記第１データベースファイルとを比較し、前記第１記録再生装置には記録されているが前記第２記録再生装置には記録されていないデジタルデータに対応するデジタルデータに関する情報を前記第１データベースファイルから抽出する抽出手段と、前記抽出されたデジタルデータに関する情報、および前記抽出されたデジタルデータに関する情報に対応するデジタルデータを前記第１記憶手段から削除するか否かを、前記複製元の情報および前記複製先の情報に基づいて決定する削除決定手段とを備え、前記第２記録再生装置は、デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する前記第２データベースファイルとを記憶するための第２記憶手段と、前記第２データベースファイルを前記第１記録再生装置へ送信する送信手段とを備えることを特徴とする。
また、前記第１データベースファイルおよび前記第２データベースファイルに格納された各デジタルデータに関する情報には、当該デジタルデータが前記第１または第２記憶手段から削除されたことを示す削除情報を含み、前記抽出手段は、前記第１記録再生装置には記録されているが前記第２記録再生装置で削除されたデジタルデータに対応するデジタルデータに関する情報を、前記削除情報に基づいて抽出してもよい。
これによって、一方の記録再生装置でデジタルデータの削除が行われた場合に、他方の記録再生装置において、一方の記録再生装置で削除が行われたデジタルデータを特定することができ、例えばユーザの嗜好に合わせて削除するか否かを決定することができる。
また、前記第１データベースファイルおよび前記第２データベースファイルに格納された各デジタルデータに開する情報には、さらに優先度


【手続補正００４】
【補正対象書類名】明細書
【補正対象項目名】０００４
【補正方法】変更
【補正の内容】
【０００４】
を示す情報を含み、前記削除決定手段は、前記抽出されたデジタルデータに関する情報、および前記抽出されたデジタルデータに関する情報に対応するデジタルデータを削除するか否かを、さらに当該デジタルデータの前記優先度に基づいて決定してもよい。
これによって、一方の記録再生装置でデジタルデータの削除が行われた場合に、他方の記録再生装置において、ユーザの嗜好に合わせて削除するか否かを決定することができる。
また、前記第１データベースファイルおよび前記第２データベースファイルに格納された各デジタルデータに関する情報には、さらに優先度を示す情報を含み、前記削除決定手段は、前記抽出されたデジタルデータに関する情報に対応するデジタルデータを削除するか否かを、当該デジタルデータの前記優先度に基づいて決定してもよい。
これによって、一方の記録再生装置でデジタルデータの削除が行われた場合に、他方の記録再生装置において、ユーザの嗜好に合わせて削除するか否かを決定することができる。
ここで、前記削除決定手段は、削除すると決定した前記デジタルデータを前記第１記憶手段から削除するとともに、削除した前記デジタルデータに対応する前記第１データベースファイル中の前記削除情報を更新してもよい。
これによって、デジタルデータだけを削除し、第１データベースファイルには削除したデジタルデータに対応するデジタルデータに関する情報は残したままで、デジタルデータを管理することができる。
また、前記第１記録再生装置は、さらに、前記抽出されたデジタルデータに関する情報、および前記抽出されたデジタルデータに関する情報に対応するデジタルデータを、前記第２記録再生装置へ送信する送出手段を備えてもよい。


【手続補正００５】
【補正対象書類名】明細書
【補正対象項目名】０００５
【補正方法】変更
【補正の内容】
【０００５】
これによって、各デジタルデータの複製元および複製先を知ることができ、一方の記録再生装置で削除したデジタルデータを他方の記録再生装置から複製することで無駄に復元することを防ぐことができる。
また、前記送出手段は、前記抽出されたデジタルデータに関する情報、および前記抽出されたデジタルデータに関する情報に対応するデジタルデータを前記第２記録再生装置へ送信するか否かを、当該デジタルデータの前記複製元の情報および前記複製先の情報に基づいて決定してもよい。
これによって、よりユーザの嗜好に合ったデータの複製が可能となる。
また、前記第１データベースファイルおよび前記第２データベースファイルに格納された各デジタルデータに関する情報は、優先度を示す情報を含み、前記送出手段は、前記抽出されたデジタルデータに関する情報、および前記抽出されたデジタルデータに関する情報に対応するデジタルデータを前記第２記録再生装置へ送信するか否かを、さらに前記優先度に基づいて決定してもよい。
これによって、一方の記録再生装置で削除したデジタルデータを他方の記録再生装置から複製することで無駄に復元することを防ぐことができる。
また、前記第１記録再生装置または第２記録再生装置は、車に搭載されてもよい。これにより、車内においても他方の記録再生装置に記録したデジタルデータを容易に利用することができる。
また、本発明に係る記録再生装置は、入力データの記録および再生を行うとともに、他装置との間でデータを送受信する記録再生装置であって、デジタルデータ群と、前記デジタルデータ群の各デジタルデータがどこから複製されたかを示す複製元の情報、および前記各デジタルデータをどこへ複製したかを示す複製先の情報を含むデジタルデータに関す


【手続補正００６】
【補正対象書類名】明細書
【補正対象項目名】０００６
【補正方法】変更
【補正の内容】
【０００６】
る情報を格納する第１データベースファイルとを記憶するための記憶手段と、受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、前記第１データベースファイルとを比較し、当該記録再生装置には記録されているが前記他装置には記録されていないデジタルデータに対応するデジタルデータに関する情報を前記第１データベースファイルから抽出する抽出手段と、前記抽出されたデジタルデータに関する情報、および前記抽出されたデジタルデータに関する情報に対応するデジタルデータを前記記憶手段から削除するか否かを、前記複製元の情報および前記複製先の情報に基づいて決定する削除決定手段とを備えることを特徴とする。
これによって、他装置でデジタルデータの削除が行われた場合に、記録再生装置において、他装置で削除が行われたデジタルデータを特定することができ、例えばユーザの嗜好に合わせて削除するか否かを決定することができる。
また、本発明に係るデータ送受信システムは、入力データの記録および再生を行う第１記録再生装置および第２記録再生装置を備え、前記第１記録再生装置と前記第２記録再生装置との間でデータを送受信するデータ送受信システムであって、前記第１記録再生装置は、デジタルデー


【手続補正００７】
【補正対象書類名】明細書
【補正対象項目名】００１９
【補正方法】変更
【補正の内容】
【００１９】
再生装置１００へ送信することを要求する送信要求を家庭用記録再生装置２００へ送信する。
家庭用記録再生装置２００は、車載用記録再生装置１００より送信されたオーディオシンク機能実行指示を受信する（ステップＳ１０３）。そして、応答部２０３は、ＡＣＫ（ａｃｋｎｏｗｌｅｄｇｅｍｅｎｔ）と記憶部２０１に保存されているデータベースファイル２２０を車載用記録再生装置１００へ通信部２０２を介して送信する（ステップＳ１０４）。
車載用記録再生装置１００は、オーディオシンク機能実行指示に対するＡＣＫとデータベースファイル２２０を家庭用記録再生装置２００から受信する（ステップＳ１０５）。そして、抽出部１０３は、家庭用記録再生装置２００から受信したデータベースファイル２２０と、記憶部２０１に保存されているデータベースファイル１２０とを比較する（ステップＳ１０６）。すなわち、抽出部１０３は、家庭用記録再生装置２００に存在し、車載用記録再生装置１００に存在しないオーディオデータがあるのか否か、ある場合はどのオーディオデータが車載用記録再生装置１００に存在していないかの情報を抽出し、要求部１０４へ通知する。要求部１０４は、この情報に対応するオーディオデータ、すなわち車載用記録再生装置１００に存在しないオーディオデータを送信することを要求する送信要求（比較結果）を、通信部１０２を介して家庭用記録再生装置２００へ送信する（ステップＳ１０７）。この情報により家庭用記録再生装置２００は、どのオーディオデータを車載用記録再生装置１００に複製すればよいのかを知ることができる。例えば、図２に示す例では、データベースファイル１２０には、データベースファイル２２０に存在するタイトルが‘５５５’の曲と‘６６６’の曲と‘７７７’の曲が含まれていない。よって、要求部１０４は、このタイトルが‘５５５’、‘６６６’、‘７７７’である曲に関する情報を家庭用記録再生装置２０


【手続補正００８】
【補正対象書類名】明細書
【補正対象項目名】００２０
【補正方法】変更
【補正の内容】
【００２０】
０へ送信することになる。
家庭用記録再生装置２００は、車載用記録再生装置１００より送信された送信要求を受信する（ステップＳ１０８）。応答部２０３は、この送信要求に基づいて車載用記録再生装置１００にどのオーディオデータを送信すればよいかを判断し、対象となったオーディオデータを車載用記録再生装置１００へ通信部２０２を介して送信する（ステップＳ１０９）。例えば、図２に示す例では、タイトルが‘５５５’、‘６６６’、‘７７７’である曲を特定するための情報が送信要求に付加されているので、応答部２０３は、このタイトルが‘５５５’、‘６６６’、‘７７７’、である曲のオーディオデータを車載用記録再生装置１００へ送信することになる。
車載用記録再生装置１００は、家庭用記録再生装置２００から不足していたオーディオデータを受信する（ステップＳ１１０）。
以上のように、車載用記録再生装置１００のデータベースファイル１２０と家庭用記録再生装置２００のデータベースファイル２２０とを比較し、家庭用記録再生装置２００に存在し、車載用記録再生装置１００に存在しないオーディオデータを複製することによって、２台の記録再生装置間におけるオーディオデータの送受信を簡単かつ効率よく行うことができる。
ここで、図３において破線で囲まれたステップＳ１０９、Ｓ１１０でのデータ送受信は、例えばホットスポットなどの高速通信が可能な状態で行われる。一方、ステップＳ１０９、Ｓ１１０以外のステップは、車載用記録再生装置１００を搭載した車が家の車庫にあるときなどに、車載用記録再生装置１００と家庭用記録再生装置２００とが例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ，１１ｂ，１１ｇなどの無線ＬＡＮで通信ができる状態で行われる。また、破線で囲まれたステップＳ１０９、Ｓ１１０でのデータ送受信は、


【手続補正００９】
【補正対象書類名】明細書
【補正対象項目名】００３３
【補正方法】変更
【補正の内容】
【００３３】
保持しておくことを決定（ステップＳ３０３）し、処理を終了する。逆に、優先度が低いと判断された場合（ステップＳ３０２でＮＯ）には、その曲は、家庭用記録再生装置６００で削除され、かつ、車載用記録再生装置７００にとっても不要と判断されたことを意味する。このため、削除決定部７０１は、その曲を削除し（ステップＳ３０５）、処理を終了する。
例えば、図１０の場合、データベースファイル６１０で削除された曲‘４４４’と‘９９９’は、データベースファイル７１０において、ともに複製元が‘家庭用記録再生装置と’、曲‘４４４４’は複製先が‘家庭用記録再生装置’となっており、‘４４４’は優先度が‘×’のため削除され、‘４４４４’は優先度が‘△’、‘９９９’は優先度が‘○’のためそのまま保持するということになる。
このように、車載用記録再生装置７００には存在するが家庭用記録再生装置６００には存在しない曲については、データベースファイル７１０の項目で「複製元」、「複製先」および「優先度」を確認することでその曲を家庭用記録再生装置６００へ複製するのか、あるいは車載用記録再生装置７００自身の記憶部１０１から削除するのかを決定している。このようにデータベースファイルの項目「複製元」、「複製先」および「優先度」を利用することで、家庭では普段聴かないが車ではよく聴くといった曲に対しても誤って削除されることない。また、家庭では必要とされていない曲を無駄に複製することのないオーディオシンク機能を実現するデータ送受信システムを構築することができる。
次に、図１０に示す状態から車載用記録再生装置７００にてオーディオデータの削除が行われた後に、オーディオシンク機能を実行した場合の動作について、以下に説明する。ここでは、曲‘７７７’のオーディオデータ、すなわち、データベースファイル７１０におけるハッチング




【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
入力データの記録および再生を行う第１記録再生装置および第２記録再生装置を備え、前記第１記録再生装置と前記第２記録再生装置との間でデータを送受信するデータ送受信システムであって、
前記第１記録再生装置は、
デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを記憶するための第１記憶手段と、
前記第２記録再生装置より送信された第２データベースファイルと、前記第１データベースファイルとを比較し、前記第１記録再生装置には記録されているが前記第２記録再生装置には記録されていないデジタルデータに対応するデジタルデータに関する情報を前記第１データベースファイルから抽出する抽出手段と、
前記抽出されたデジタルデータに関する情報、および前記抽出されたデジタルデータに関する情報に対応するデジタルデータを前記第１記憶手段から削除するか否かを、前記複製元の情報および前記複製先の情報に基づいて決定する削除決定手段とを備え、
前記第２記録再生装置は、
デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する前記第２データベースファイルとを記憶するための第２記憶手段と、
前記第２データベースファイルを前記第１記録再生装置へ送信する送信手段とを備える
ことを特徴とするデータ送受信システム。
【請求項２】
前記第１データベースファイルおよび前記第２データベースファイルに格納された各デジタルデータに関する情報には、さらに優先度を示す情報を含み、
前記削除決定手段は、前記抽出されたデジタルデータに関する情報、および前記抽出されたデジタルデータに関する情報に対応するデジタルデータを削除するか否かを、さらに当該デジタルデータの前記優先度に基づいて決定する
ことを特徴とする請求項１記載のデータ送受信システム。
【請求項３】
前記第１記録再生装置は、さらに、
前記抽出されたデジタルデータに関する情報、および前記抽出されたデジタルデータに関する情報に対応するデジタルデータを、前記第２記録再生装置へ送信する送出手段を備える
ことを特徴とする請求項１記載のデータ送受信システム。
【請求項４】
前記送出手段は、前記抽出されたデジタルデータに関する情報、および前記抽出されたデジタルデータに関する情報に対応するデジタルデータを前記第２記録再生装置へ送信するか否かを、当該デジタルデータの前記複製元の情報および前記複製先の情報に基づいて決定する
ことを特徴とする請求項３記載のデータ送受信システム。
【請求項５】
前記第１データベースファイルおよび前記第２データベースファイルに格納された各デジタルデータに関する情報は、優先度を示す情報を含み、
前記送出手段は、前記抽出されたデジタルデータに関する情報、および前記抽出されたデジタルデータに関する情報に対応するデジタルデータを前記第２記録再生装置へ送信するか否かを、前記優先度に基づいて決定する
ことを特徴とする請求項３に記載のデータ送受信システム。
【請求項６】
前記第１記録再生装置または前記第２記録再生装置は、車に搭載される
ことを特徴とする請求項１に記載のデータ送受信システム。
【請求項７】
入力データの記録および再生を行うとともに、他装置との間でデータを送受信する記録再生装置であって、
デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを記憶するための記憶手段と、
受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、前記第１データベースファイルとを比較し、当該記録再生装置には記録されているが前記他装置には記録されていないデジタルデータに対応するデジタルデータに関する情報を前記第１データベースファイルから抽出する抽出手段と、
前記抽出されたデジタルデータに関する情報、および前記抽出されたデジタルデータに関する情報に対応するデジタルデータを前記記憶手段から削除するか否かを、前記複製元の情報および前記複製先の情報に基づいて決定する削除決定手段とを備える
ことを特徴とする記録再生装置。
【請求項８】
他装置との間でデータを送受信するとともに、記録しているデータを管理するデータ送受信方法であって、
受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、当該記録再生装置が記憶するデジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを比較し、当該記録再生装置には記録されているが前記他装置には記録されていないデジタルデータに対応するデジタルデータに関する情報を前記第１データベースファイルから抽出する抽出ステップと、
前記抽出されたデジタルデータに関する情報、および前記抽出されたデジタルデータに関する情報に対応するデジタルデータを削除するか否かを、前記複製元の情報および前記複製先の情報に基づいて決定する削除決定ステップとを含む
ことを特徴とするデータ送受信方法。
【請求項９】
他装置との間でデータを送受信するとともに、記録しているデータを管理するためのプログラムであって、
受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、当該記録再生装置が記憶するデジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを比較し、当該記録再生装置には記録されているが前記他装置には記録されていないデジタルデータに対応するデジタルデータに関する情報を前記第１データベースファイルから抽出する抽出ステップと、
前記抽出されたデジタルデータに関する情報、および前記抽出されたデジタルデータに関する情報に対応するデジタルデータを削除するか否かを、前記複製元の情報および前記複製先の情報に基づいて決定する削除決定ステップとを
コンピュータに実行させることを特徴とするプログラム。
【請求項１０】
前記記録再生装置は、さらに、
前記抽出されたデジタルデータに関する情報、および前記抽出されたデジタルデータに関する情報に対応するデジタルデータを、前記他装置へ送信する送出手段を備え、
前記送出手段は、前記抽出されたデジタルデータに関する情報、および前記抽出されたデジタルデータに関する情報に対応するデジタルデータを前記他装置へ送信するか否かを、当該デジタルデータの前記複製元の情報および前記複製先の情報に基づいて決定する
ことを特徴とする請求項７に記載の記録再生装置。
【請求項１１】
前記データ送受信方法は、さらに、
前記抽出ステップにより抽出されたデジタルデータに関する情報、および前記抽出されたデジタルデータに関する情報に対応するデジタルデータを前記他装置へ送信するか否かを、当該デジタルデータの前記複製元の情報および前記複製先の情報に基づいて決定する送信送出ステップを含む
ことを特徴とする請求項８に記載のデータ送受信方法。
【請求項１２】
前記プログラムは、さらに、
前記抽出ステップにより抽出されたデジタルデータに関する情報、および前記抽出されたデジタルデータに関する情報に対応するデジタルデータを前記他装置へ送信するか否かを、当該デジタルデータの前記複製元の情報および前記複製先の情報に基づいて決定する送信送出ステップを
コンピュータに実行させることを特徴とする請求項９に記載のプログラム。
【手続補正２】
【補正対象書類名】明細書
【補正対象項目名】全文
【補正方法】変更
【補正の内容】
【発明の詳細な説明】
【技術分野】
【０００１】
本発明は、データの送受信を行うシステムに関し、特に２台の記録再生装置間でデジタルデータを送受信するデータ送受信システム、データ送受信方法および記録再生装置に関する。
【背景技術】
【０００２】
従来の車載オーディオシステムでは、ＣＤ（ＣｏｍｐａｃｔＤｉｓｃ）やユーザが記録したＭＤ（ＭｉｎｉＤｉｓｃ）などのリムーバブルメディア等を車に持ち込んで音楽を視聴するというものが主流である。近年では、車載用ハードディスクが車に搭載され、大量のオーディオデータが蓄積できるようになってきている。このような車載用ハードディスクへの音楽の保存方法は、半導体メモリなどから複製、あるいはハードディスクが持ち出し可能な場合にはＰＣ（パーソナルコンピュータ）と接続してオーディオデータを直接複製するというものである。
【０００３】
ところで、２つの機器間でそれぞれが保持するファイルを同じにするというファイル同期という技術がある。この技術は、主にＰＣの分野でファイルを複製するときに用いられる技術であり、特にサーバ／クライアントマシン間でクライアントマシンがサーバマシンとデータベースの状態を同じにするためによく用いられる。
【０００４】
このようなファイル同期技術として、インターネットを介して結ばれる個々のマシン間でファイル同期を簡単かつ効率よく行うファイル同期システムおよびファイルが提案されている（例えば、特開２００１−２２９０６５号公報参照。）。
【０００５】
しかしながら、上記特許文献１のファイル同期システムでは通信状態が安定したインターネット環境を想定しており、車などのような通信状態が不安定な環境での効率よいファイル同期については記載されていない。
【０００６】
また、一般のファイル同期では、双方のマシンのファイルの内容を全く同じ状態にすることが想定されている。このようなファイル同期を、車載用記録再生装置と家庭用記録再生装置との間に適用しようしても、例えば車で聴く音楽は、家庭で聴く音楽とはジャンルが異なるというユーザも少なくないことから、ユーザの求めるオーディオデータの複製を行うことができない場合が多い。
【発明の開示】
【０００７】
そこで、本発明は上記の事情に鑑みてなされたものであり、２台の記録再生装置間におけるデジタルデータを効率よく送受信することができるデータ送受信システム、データ送受信方法および記録再生装置を提供することを目的とする。
【０００８】
上記目的を達成するため、本発明に係るデータ送受信システムは、入力データの記録および再生を行う第１記録再生装置および第２記録再生装置を備え、前記第１記録再生装置と前記第２記録再生装置との間でデータを送受信するデータ送受信システムであって、前記第１記録再生装置は、デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを記憶するための第１記憶手段と、前記第２記録再生装置より送信された第２データベースファイルと、前記第１データベースファイルとを比較し、前記第１記録再生装置には記録されているが前記第２記録再生装置には記録されていないデジタルデータに対応するデジタルデータに関する情報を前記第１データベースファイルから抽出する抽出手段と、前記抽出されたデジタルデータに関する情報、および前記抽出されたデジタルデータに関する情報に対応するデジタルデータを前記第１記憶手段から削除するか否かを、前記複製元の情報および前記複製先の情報に基づいて決定する削除決定手段とを備え、前記第２記録再生装置は、デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する前記第２データベースファイルとを記憶するための第２記憶手段と、前記第２データベースファイルを前記第１記録再生装置へ送信する送信手段とを備えることを特徴とする。
【０００９】
また、前記第１データベースファイルおよび前記第２データベースファイルに格納された各デジタルデータに関する情報には、当該デジタルデータが前記第１または第２記憶手段から削除されたことを示す削除情報を含み、前記抽出手段は、前記第１記録再生装置には記録されているが前記第２記録再生装置で削除されたデジタルデータに対応するデジタルデータに関する情報を、前記削除情報に基づいて抽出してもよい。
【００１０】
これによって、一方の記録再生装置でデジタルデータの削除が行われた場合に、他方の記録再生装置において、一方の記録再生装置で削除が行われたデジタルデータを特定することができ、例えばユーザの嗜好に合わせて削除するか否かを決定することができる。
【００１１】
また、前記第１データベースファイルおよび前記第２データベースファイルに格納された各デジタルデータに関する情報には、さらに優先度を示す情報を含み、前記削除決定手段は、前記抽出されたデジタルデータに関する情報、および前記抽出されたデジタルデータに関する情報に対応するデジタルデータを削除するか否かを、さらに当該デジタルデータの前記優先度に基づいて決定してもよい。
【００１２】
これによって、一方の記録再生装置でデジタルデータの削除が行われた場合に、他方の記録再生装置において、ユーザの嗜好に合わせて削除するか否かを決定することができる。
【００１３】
また、前記第１データベースファイルおよび前記第２データベースファイルに格納された各デジタルデータに関する情報には、さらに優先度を示す情報を含み、前記削除決定手段は、前記抽出されたデジタルデータに関する情報に対応するデジタルデータを削除するか否かを、当該デジタルデータの前記優先度に基づいて決定してもよい。
【００１４】
これによって、一方の記録再生装置でデジタルデータの削除が行われた場合に、他方の記録再生装置において、ユーザの嗜好に合わせて削除するか否かを決定することができる。
【００１５】
ここで、前記削除決定手段は、削除すると決定した前記デジタルデータを前記第１記憶手段から削除するとともに、削除した前記デジタルデータに対応する前記第１データベースファイル中の前記削除情報を更新してもよい。
【００１６】
これによって、デジタルデータだけを削除し、第１データベースファイルには削除したデジタルデータに対応するデジタルデータに関する情報は残したままで、デジタルデータを管理することができる。
【００１７】
また、前記第１記録再生装置は、さらに、前記抽出されたデジタルデータに関する情報、および前記抽出されたデジタルデータに関する情報に対応するデジタルデータを、前記第２記録再生装置へ送信する送出手段を備えてもよい。
【００１８】
これによって、各デジタルデータの複製元および複製先を知ることができ、一方の記録再生装置で削除したデジタルデータを他方の記録再生装置から複製することで無駄に復元することを防ぐことができる。
【００１９】
また、前記送出手段は、前記抽出されたデジタルデータに関する情報、および前記抽出されたデジタルデータに関する情報に対応するデジタルデータを前記第２記録再生装置へ送信するか否かを、当該デジタルデータの前記複製元の情報および前記複製先の情報に基づいて決定してもよい。
【００２０】
これによって、よりユーザの嗜好に合ったデータの複製が可能となる。
また、前記第１データベースファイルおよび前記第２データベースファイルに格納された各デジタルデータに関する情報は、優先度を示す情報を含み、前記送出手段は、前記抽出されたデジタルデータに関する情報、および前記抽出されたデジタルデータに関する情報に対応するデジタルデータを前記第２記録再生装置へ送信するか否かを、さらに前記優先度に基づいて決定してもよい。
【００２１】
これによって、一方の記録再生装置で削除したデジタルデータを他方の記録再生装置から複製することで無駄に復元することを防ぐことができる。
【００２２】
また、前記第１記録再生装置または第２記録再生装置は、車に搭載されてもよい。これにより、車内においても他方の記録再生装置に記録したデジタルデータを容易に利用することができる。
【００２３】
また、本発明に係る記録再生装置は、入力データの記録および再生を行うとともに、他装置との間でデータを送受信する記録再生装置であって、デジタルデータ群と、前記デジタルデータ群の各デジタルデータがどこから複製されたかを示す複製元の情報、および前記各デジタルデータをどこへ複製したかを示す複製先の情報を含むデジタルデータに関する情報を格納する第１データベースファイルとを記憶するための記憶手段と、受信した前記他装置が記憶するデジタルデータ群の各デジタルデータがどこから複製されたかを示す複製元の情報、および前記各デジタルデータをどこへ複製したかを示す複製先の情報を含むデジタルデータに関する情報を格納する第２データベースファイルと、前記第１データベースファイルとを比較し、当該記録再生装置には記録されているが前記他装置には記録されていないデジタルデータに対応するデジタルデータに関する情報を前記第１データベースファイルから抽出する抽出手段と、前記抽出されたデジタルデータに関する情報、および前記抽出されたデジタルデータに関する情報に対応するデジタルデータを前記記憶手段から削除するか否かを、前記複製元の情報および前記複製先の情報に基づいて決定する削除決定手段とを備えることを特徴とする。
【００２４】
これによって、他装置でデジタルデータの削除が行われた場合に、記録再生装置において、他装置で削除が行われたデジタルデータを特定することができ、例えばユーザの嗜好に合わせて削除するか否かを決定することができる。
【００２５】
また、本発明に係るデータ送受信システムは、入力データの記録および再生を行う第１記録再生装置および第２記録再生装置を備え、前記第１記録再生装置と前記第２記録再生装置との間でデータを送受信するデータ送受信システムであって、前記第１記録再生装置は、デジタルデータ群と、前記デジタルデータ群の各デジタルデータに関する情報を格納する第１データベースファイルとを記憶するための記憶手段と、前記第２記録再生装置より送信された第２データベースファイルと、前記第１データベースファイルとを比較し、前記第２記録再生装置には記録されているが前記第１記録再生装置には記録されていないデジタルデータに対応するデジタルデータに関する情報を抽出する抽出手段と、前記第２記録再生装置の有する前記第２データベースファイルの送信要求、および前記抽出されたデジタルデータに関する情報に対応するデジタルデータの送信要求を、前記第２記録再生装置へ送信する要求手段とを備え、前記第２記録再生装置は、デジタルデータ群と、前記デジタルデータ群の各デジタルデータに関する情報を格納する前記第２データベースファイルとを記憶するための記憶手段と、前記第１記録再生装置より送信された前記第２データベースファイルの送信要求により前記第２データベースファイル、および前記デジタルデータの送信要求により対応する前記デジタルデータを、それぞれ前記第１記録再生装置へ送信する応答手段とを備え、前記第１データベースファイルおよび前記第２データベースファイルに格納された各デジタルデータに関する情報には、優先度を含むことを特徴とする。
【００２６】
これによって、第２記録再生装置に存在し、第１記録再生装置に存在しないデジタルデータがある場合に、第２記録再生装置から第１記録再生装置へデジタルデータを効率よく複製することができ、２台の記録再生装置間におけるデジタルデータの送受信を簡単かつ効率よく行うことができる。
【００２７】
ここで、前記要求手段は、前記デジタルデータの送信要求に前記優先度を付加して前記第２記録再生装置へ送信し、前記応答手段は、前記デジタルデータの送信要求により前記デジタルデータを前記第１記録再生装置へ送信する際に、前記優先度に基づいて前記デジタルデータを送信することが好ましい。これによって、デジタルデータを第１記録再生装置へ送信する際に、優先度に基づいてデジタルデータを送信できるので、例えば、優先度の高い順に送信することにより、通信が中断されたときでもユーザの嗜好に合ったデジタルデータはできるだけ早期に送受信させることができる。
【００２８】
また、前記要求手段は、前記抽出されたデジタルデータに関する情報に対応するデジタルデータの送信を要求するか否かを、当該デジタルデータの前記優先度に基づいて決定してもよい。これによって、デジタルデータを第２記録再生装置へ要求する際に、デジタルデータの送信を要求するか否かを優先度に基づいて決定できるので、例えば、優先度の低いデジタルデータの送信を要求しないことにより、ユーザの嗜好に合わないデジタルデータを送受信しないで無駄な通信を行わなくてよい。
【００２９】
また、前記応答手段は、前記デジタルデータの送信要求により前記デジタルデータを前記第１記録再生装置へ送信する際に、前記デジタルデータに対応する前記第２データベースファイルに格納された前記優先度に基づいて前記デジタルデータを送信してもよい。これによって、デジタルデータを第２記録再生装置へ要求する際に優先度を送信しなくても、第２データベースファイルに格納された優先度に基づいてデジタルデータを送信することができるので、例えば、ＩＤ番号等の曲を識別できる情報だけを送信しても、優先度に基づいてデジタルデータを送信することができる。
【００３０】
また、前記第１記録再生装置は、さらに、前記デジタルデータの再生頻度、前記デジタルデータの記録日時、およびユーザの指定の少なくとも１つに基づいて、当該デジタルデータの前記優先度を決定する優先度決定手段を備えてもよい。これによって、優先度にユーザの嗜好やデジタルデータの新しさを反映させることができる。
【００３１】
また、前記優先度決定手段は、前記第１記録再生装置の記憶手段の空き容量に基づいて、前記記憶手段に記憶されている前記優先度が低いデジタルデータを削除してもよい。
【００３２】
これによって、記憶手段を有効に利用することができる。
また、前記要求手段は、前記第１記録再生装置に電源が投入されたときに、前記第２データベースファイルの送信要求を行ってもよい。
【００３３】
これによって、第１記録再生装置を無駄に消費することを防ぐことができる。
また、前記応答手段は、前記第１記録再生装置より送信された前記デジタルデータの送信要求により前記デジタルデータの少なくとも一部を、リムーバブルメディアへ記録し、前記第１記録再生装置では、前記リムーバブルメディアから前記デジタルデータの少なくとも一部を前記記憶手段へ転送してもよい。
【００３４】
これによって、複製するデジタルデータのデータ量が多いときでもより迅速に複製を完了することができる。
【００３５】
また、前記抽出手段は、前記第２データベースファイルと前記第１データベースファイルとを比較し、前記第１記録再生装置には記録されているが前記第２記録再生装置には記録されていないデジタルデータに対応するデジタルデータに関する情報を抽出するとともに、前記第１記録再生装置は、さらに、前記抽出されたデジタルデータに関する情報、および前記抽出されたデジタルデータに関する情報に対応するデジタルデータを、前記第２記録再生装置へ送信する送出手段を備えてもよい。
【００３６】
これによって、さらに第１記録再生装置に存在し、第２記録再生装置に存在しないデジタルデータがある場合についても、第１記録再生装置から第２記録再生装置へデジタルデータを効率よく複製することができ、２台の記録再生装置間における双方向でのデジタルデータの送受信を簡単かつ効率よく行うことができる。
【００３７】
また、前記第２記録再生装置は、さらに、前記デジタルデータを圧縮する圧縮手段を備え、前記第１データベースファイルおよび前記第２データベースファイルに格納された各デジタルデータに関する情報には、当該デジタルデータのデータ量を示す情報を含み、前記要求手段は、前記抽出されたデジタルデータに関する情報に対応するデジタルデータのデータ量および前記第１記録再生装置の記憶手段の空き容量に基づいて圧縮率を算出して、前記圧縮率を指定する圧縮指示を前記デジタルデータの送信要求とともに前記第２記録再生装置へ送信し、前記応答手段は、前記圧縮率を指定する圧縮指示に基づいて、前記デジタルデータの送信要求に対応する前記デジタルデータの圧縮を前記圧縮手段へ指示し、圧縮されたデジタルデータを前記第１記録再生装置へ送信してもよい。
【００３８】
これによって、第１記録再生装置の記憶手段の空き容量が少なくても、空き容量に応じて複製を行うことができるので、記憶手段を効率よく利用することができる。
【００３９】
また、前記要求手段は、前記圧縮率を前記優先度に基づいて算出してもよい。
これによって、ユーザの嗜好に合わせてデジタルデータの品質を変えることができる。
【００４０】
また、前記抽出されたデジタルデータに関する情報に対応するデジタルデータの中に１つ以上の動画像データを含み、前記第１記録再生装置は、さらに、前記デジタルデータの送信要求に前記動画像データを含めるか否かを、ユーザが個々に選択するためのユーザインタフェース手段を備えてもよい。
【００４１】
これによって、データサイズが大きな動画像データに対しては選択されたものだけを複製することができ、データの送受信を効率よく行うことができる。
【００４２】
また、本発明に係る記録再生装置は、入力データの記録および再生を行うとともに、他装置との間でデータを送受信する記録再生装置であって、デジタルデータ群と、前記デジタルデータ群の各デジタルデータに関する情報を格納する第１データベースファイルとを記憶するための記憶手段と、受信した前記他装置が記憶するデジタルデータ群の各デジタルデータに関する情報を各納する第２データベースファイルと、前記第１データベースファイルとを比較し、前記他装置には記録されているが前記記録再生装置には記録されていないデジタルデータに対応するデジタルデータに関する情報を抽出する抽出手段と、前記他装置の有する前記第２データベースファイルの送信要求、および前記抽出されたデジタルデータに関する情報に対応するデジタルデータの送信要求を、前記他装置へ送信する要求手段とを備え、前記第１データベースファイルおよび前記第２データベースファイルに格納された各デジタルデータに関する情報は、優先度を示す情報を含むことを特徴とする。
【００４３】
これによって、他装置に存在し、記録再生装置に存在しないデジタルデータがある場合に、他装置から記録再生装置へデジタルデータを効率よく複製することができる。
【００４４】
また、前記抽出手段は、前記第２データベースファイルと前記第１データベースファイルとを比較し、前記記録再生装置には記録されているが前記他装置には記録されていないデジタルデータに対応するデジタルデータに関する情報を抽出するとともに、前記抽出されたデジタルデータに関する情報、および前記抽出されたデジタルデータに関する情報に対応するデジタルデータを、前記他装置へ送信する送出手段を備えてもよい。
【００４５】
また、本発明に係る記録再生装置は、入力データの記録および再生を行うとともに、他装置との間でデータを送受信する記録再生装置であって、デジタルデータ群と、前記デジタルデータ群の各デジタルデータに関する情報を格納する前記データベースファイルとを記憶するための記憶手段と、前記他装置より送信された前記データベースファイルの送信要求により前記データベースファイル、および前記デジタルデータの送信要求により対応する前記デジタルデータを、それぞれ前記他装置へ送信する応答手段とを備え、前記応答手段は、前記デジタルデータの送信要求により前記デジタルデータを前記他装置へ送信する際に、前記デジタルデータの送信要求に付加された優先度に基づいて前記デジタルデータを送信することを特徴とする。
【００４６】
これによって、記録再生装置に存在し、他装置に存在しないデジタルデータがある場合に、記録再生装置から他装置へデジタルデータを効率よく複製することができる。
【００４７】
なお、本発明は、このようなデータ送受信システムとして実現することができるだけでなく、このようなデータ送受信システムが備える特徴的な手段をステップとするデータ送受信方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【００４８】
以上の説明から明らかなように、本発明に係るデータ送受信システムによれば、一方の記録再生装置でデジタルデータの削除が行われた場合に、他方の記録再生装置において、一方の記録再生装置で削除が行われたデジタルデータを特定することができ、例えばユーザの嗜好に合わせて削除するか否かを決定することができる。よって、例えば車載用記録再生装置と家庭用記録再生装置等とにおいてデジタルデータの送受信を行う機会が増えている今日における実用的価値は極めて高い。
【発明を実施するための最良の形態】
【００４９】
以下、本発明の各実施の形態について、それぞれ図面を参照しながら説明する。
【００５０】
（実施の形態１）
本実施の形態１では車載用記録再生装置と家庭用記録再生装置において、オーディオデータのデータベースファイルを比較し、車載用記録再生装置のデータベースファイルに不足しているオーディオデータを家庭用記録再生装置から複製（コピー）するデータ送受信システムについて説明する。
【００５１】
図１は本発明の実施の形態１に係るデータ送受信システムの構成を示すブロック図である。この送受信システムは、２台の記録再生装置間でデータを送受信するシステムであり、車載用記録再生装置１００および家庭用記録再生装置２００を備えている。
【００５２】
車載用記録再生装置１００は、映像データやオーディオデータなどのデジタルコンテンツを複数保存できる例えばハードディスク等の大容量の記録媒体である記憶部１０１、インターネットなどを介して外部との通信を行う通信部１０２、抽出部１０３、および要求部１０４を備えている。
【００５３】
一方、家庭用記録再生装置２００は、映像データやオーディオデータなどのデジタルコンテンツを複数保存できる例えばハードディスク等の大容量の記録媒体である記憶部２０１、インターネットなどを介して外部との通信を行う通信部２０２、および応答部２０３を備えている。ここでは、車載用記録再生装置１００および家庭用記録再生装置２００は、それぞれ通信部１０２と通信部２０２とにより、直接またはインターネット等のネットワークを介して通信する状況を想定している。
【００５４】
記憶部１０１および記憶部２０１には、複数のオーディオデータ、およびそれらのオーディオデータに関する情報を格納するデータベースファイルが保存されている。ここでオーディオデータに関する情報とは、例えば、アーティスト名、タイトル、録音時間などである。
【００５５】
図２は、記憶部に保存されているデータベースファイルの一例を示す模式図であり、（ａ）車載用記録再生装置１００の記憶部１０１、（ｂ）家庭用記録再生装置２００の記憶部２０１に保存されているデータベースファイルの一例である。ここでは、説明を簡略化するためにテキスト化しているが実際のデータベースファイルは電子データである。また、データベースファイルに記録されているオーディオデータに関する情報が、アーティスト名、タイトル、録音時間である場合を例に示している。
【００５６】
データベースファイル１２０には、車載用記録再生装置１００に保存されているオーディオデータに関する情報が、各オーディオデータに対応して例えば図２（ａ）に示すようにアーティスト名、タイトル、録音時間の項目毎に格納されている。一方、データベースファイル２２０には、同様に家庭用記録再生装置２００に保存されているオーディオデータに関する情報が、各オーディオデータに対応して例えば図２（ｂ）に示すようにアーティスト名、タイトル、録音時間の項目毎に格納されている。
【００５７】
また、記憶部１０１または記憶部２０１に、新規でオーディオデータが保存されると、データベースファイル１２０またはデータベースファイル２２０に、新規に保存されたオーディオデータに関する情報が新たに格納され、内容が更新される。
【００５８】
車載用記録再生装置１００の抽出部１０３は、家庭用記録再生装置２００より送信されたデータベースファイル２２０と、データベースファイル１２０とを比較し、家庭用記録再生装置２００には記録されているが車載用記録再生装置１００には記録されていないオーディオデータに関する情報を抽出する。
【００５９】
車載用記録再生装置１００の要求部１０４は、車載用記録再生装置１００の電源投入時に、家庭用記録再生装置２００のデータベースファイル２２０を送信することを要求する送信要求を通信部１０２を介して家庭用記録再生装置２００へ送信する。また、要求部１０４は、抽出部１０３によって抽出されたオーディオデータに関する情報に対応するオーディオデータを送信することを要求する送信要求を、通信部１０２を介して家庭用記録再生装置２００へ送信する。
【００６０】
家庭用記録再生装置２００の応答部２０３は、データベースファイル２２０の送信要求に応じて、記憶部２０１に保存されているデータベースファイル２２０を車載用記録再生装置１００へ通信部２０２を介して送信する。また、応答部２０３は、オーディオデータを送信することを要求する送信要求に応じて、対象となるオーディオデータを車載用記録再生装置１００へ通信部２０２を介して送信する。
【００６１】
なお、本実施の形態では、自装置のデータベースファイルと通信相手装置のデータベースファイルを比較し、通信相手装置に存在し、自装置には存在しないオーディオデータを複製する機能をオーディオシンク機能と呼ぶことにする。
【００６２】
次に、上記のように構成されたデータ送受信システムにおいて、車載用記録再生装置１００がオーディオシンク機能を用いて家庭用記録再生装置２００からオーディオデータを複製するときの動作について説明する。ここで、図２（ａ）、（ｂ）に示すデータベースファイル１２０とデータベースファイル２２０を比較すると、タイトルが‘５５５’の曲と‘６６６’の曲と‘７７７’の曲がデータベースファイル１２０には含まれていない。よって、オーディオシンク機能を用いると、この３曲が車載用記録再生装置１００に複製され、データベースファイル１２０に登録されることになる。
【００６３】
図３はオーディオシンク機能を実行する際の車載用記録再生装置１００および家庭用記録再生装置２００の動作を示すフローチャートである。図３において‘ＤＢ’とはデータベースの略称である。以後の図においても‘ＤＢ’とはデータベースを意味することとする。ここで、車載用記録再生装置１００は車のエンジンをかけたら電源が投入されるものとし、家庭用記録再生装置２００は常に電源が供給されていて、常時外部からアクセスできる状態であるとする。
【００６４】
なお、オーディオデータのようなデジタルデータの複製では著作権が保護される必要があるが、この点は本発明の主たる問題ではないため詳細は説明を割愛し、あらかじめ用意された著作権保護の規則に従うものとする。完全な複製を認めない、移動（Ｍｏｖｅ）やチェックイン・チェックアウト方式などにおいても本発明は適用可能である。
【００６５】
まず、車載用記録再生装置１００に電源が投入される（ステップＳ１０１）。次に車載用記録再生装置１００の要求部１０４は、オーディオシンク機能実行指示を家庭用記録再生装置２００へ通信部１０２を介して送信する（ステップＳ１０２）。すなわち、要求部１０４は、家庭用記録再生装置２００が有しているデータベースファイル２２０を車載用記録再生装置１００へ送信することを要求する送信要求を家庭用記録再生装置２００へ送信する。
【００６６】
家庭用記録再生装置２００は、車載用記録再生装置１００より送信されたオーディオシンク機能実行指示を受信する（ステップＳ１０３）。そして、応答部２０３は、ＡＣＫ（acknowledgement）と記憶部２０１に保存されているデータベースファイル２２０を車載用記録再生装置１００へ通信部２０２を介して送信する（ステップＳ１０４）。
【００６７】
車載用記録再生装置１００は、オーディオシンク機能実行指示に対するＡＣＫとデータベースファイル２２０を家庭用記録再生装置２００から受信する（ステップＳ１０５）。そして、抽出部１０３は、家庭用記録再生装置２００から受信したデータベースファイル２２０と、記憶部２０１に保存されているデータベースファイル１２０とを比較する（ステップＳ１０６）。すなわち、抽出部１０３は、家庭用記録再生装置２００に存在し、車載用記録再生装置１００に存在しないオーディオデータがあるのか否か、ある場合はどのオーディオデータが車載用記録再生装置１００に存在していないかの情報を抽出し、要求部１０４へ通知する。要求部１０４は、この情報に対応するオーディオデータ、すなわち車載用記録再生装置１００に存在しないオーディオデータを送信することを要求する送信要求（比較結果）を、通信部１０２を介して家庭用記録再生装置２００へ送信する（ステップＳ１０７）。この情報により家庭用記録再生装置２００は、どのオーディオデータを車載用記録再生装置１００に複製すればよいのかを知ることができる。例えば、図２に示す例では、データベースファイル１２０には、データベースファイル２２０に存在するタイトルが‘５５５’の曲と‘６６６’の曲と‘７７７’の曲が含まれていない。よって、要求部１０４は、このタイトルが‘５５５’、‘６６６’、‘７７７’である曲に関する情報を家庭用記録再生装置２００へ送信することになる。
【００６８】
家庭用記録再生装置２００は、車載用記録再生装置１００より送信された送信要求を受信する（ステップＳ１０８）。応答部２０３は、この送信要求に基づいて車載用記録再生装置１００にどのオーディオデータを送信すればよいかを判断し、対象となったオーディオデータを車載用記録再生装置１００へ通信部２０２を介して送信する（ステップＳ１０９）。例えば、図２に示す例では、タイトルが‘５５５’、‘６６６’、‘７７７’である曲を特定するための情報が送信要求に付加されているので、応答部２０３は、このタイトルが‘５５５’、‘６６６’、‘７７７’である曲のオーディオデータを車載用記録再生装置１００へ送信することになる。
【００６９】
車載用記録再生装置１００は、家庭用記録再生装置２００から不足していたオーディオデータを受信する（ステップＳ１１０）。
【００７０】
以上のように、車載用記録再生装置１００のデータベースファイル１２０と家庭用記録再生装置２００のデータベースファイル２２０とを比較し、家庭用記録再生装置２００に存在し、車載用記録再生装置１００に存在しないオーディオデータを複製することによって、２台の記録再生装置間におけるオーディオデータの送受信を簡単かつ効率よく行うことができる。
【００７１】
ここで、図３において破線で囲まれたステップＳ１０９、Ｓ１１０でのデータ送受信は、例えばホットスポットなどの高速通信が可能な状態で行われる。一方、ステップＳ１０９、Ｓ１１０以外のステップは、車載用記録再生装置１００を搭載した車が家の車庫にあるときなどに、車載用記録再生装置１００と家庭用記録再生装置２００とが例えばＩＥＥＥ（Institute of Electrical and Electronics Engineers）８０２．１１a，１１ｂ，１１ｇなどの無線ＬＡＮで通信ができる状態で行われる。また、破線で囲まれたステップＳ１０９、Ｓ１１０でのデータ送受信は、ステップＳ１０８において家庭用記録再生装置２００が車載用記録再生装置１００より送信要求を受信した後、時間的にはしばらく後に行われてもよい。このようにデータベースファイルの比較だけ終了しておけば、大量のオーディオデータを受信する場合でもデータ複製のために車の発進が遅れることはなく、効率よくオーディオシンク機能を実現するデータ送受信システムを構築することができる。
【００７２】
なお、本実施の形態１では、オーディオデータに関して説明しているが、これに限られるものではない。例えば、ビデオ（動画）データやピクチャ（静止画）データなど、あるいはカーナビゲーションの地図データなど、記録再生装置に保存できるデジタルデータであれば同様のシステムを構築することができる。
【００７３】
また、本実施の形態１では、記録再生装置として車載用と家庭用とを例に説明しているが、これに限られるものではない。例えば、携帯型の記録再生装置でもよく、２台の記録再生装置が互いに通信可能であれば同様のシステムを構築することができる。
【００７４】
また、本実施の形態１では、車載用記録再生装置１００と家庭用記録再生装置２００は、それぞれ通信部１０２と通信部２０２とにより無線ＬＡＮによって通信するものとしているが、これに限られたものではない。例えば、ＩＥＥＥ８０２．１１ａ，１１ｂ，１１ｇ以外の無線通信でもよい。あるいは有線通信としても同様のシステムを構築することができる。
【００７５】
また、図２においてオーディオデータに関する情報はアーティスト名、タイトル、録音時間としているがこれらに限られるものではなく、曲を識別できる情報であればよい。されに、例えばジャンルなど、単独では曲を識別できないような情報を含んでもよい。
【００７６】
また、車載用記録再生装置１００の電源はエンジンをかけたら投入されるとしたが、これに限られるものではない。例えば、２次電池を備える構成として、エンジンがかかっている状態のときはバッテリーから電源を供給してもらい、かつ、２次電池を充電し、エンジンがかかっていない状態のときは２次電池から電源を供給するとしても同様のシステムを構築することができる。
【００７７】
また、本実施の形態１では、図３中のステップＳ１０２におけるオーディオシンク機能実行指示の送信は電源が投入された時に、要求部１０４が行うものとして説明しているが、これに限られるものではない。例えば、車載用記録再生装置１００に「オーディオシンク」なるスイッチを設け、そのスイッチが押された時に要求部１０４が処理を開始するようにすることもできる。このオーディオシンク機能実行指示のコマンドデータやデータベースファイルは、オーディオデータと比較して容量の小さなものであるため携帯電話のデータ通信などでも可能であり、車が走行中に行うこともできる。先に説明したように２次電池を用いるなどして車載用記録再生装置１００に常時電源を投入する場合、家庭用記録再生装置２００のデータベースファイルが更新されたときに、更新されたことを示す情報を受信してオーディオシンク機能を実行させるようにしてもよい。あるいは家庭用記録再生装置２００側からオーディオシンク機能の実行指示を送信するとしてもよい。この場合、車載用記録再生装置に電源が投入されていない場合はＡＣＫを受信するまである一定間隔、例えば1分毎に実行指示を出し、ＡＣＫを受信しない場合は１０分でタイムアウトするというように構成すればよい。あるいは車載用記録再生装置１００から定期的に家庭用記録再生装置２００のデータベースファイルが更新されたか否かを確認し、更新されたときにオーディオシンク機能の実行指示を送信するとしてもよい。あるいは、カーナビゲーション装置と連動して、ＧＰＳ（Global Positioning System）等を用いて車載用記録再生装置１００と家庭用記録再生装置２００の位置を管理し、所定の距離に近づいたらオーディオシンク機能の実行指示を送信するとしてもよい。また、オーディオシンク機能実行指示の送信後のデータベースファイルの送信やデータベースファイル比較などの処理についても、本実施の形態１で示した側とは逆の記録再生装置で行うとしても同様のシステムを構築することができる。
【００７８】
また、本実施の形態１では、図３中のステップＳ１０７において不足しているオーディオデータのオーディオに関する情報を送信するとしているが、これに限られるものではなく、例えばＩＤ番号（データベースファイルに含まれているとして）など、どの曲であるかを識別できる情報だけを送信するとしてもよい。
【００７９】
また、本実施の形態１では、図３中の破線で囲まれたステップＳ１０９、Ｓ１１０でのデータ送受信は、例えばホットスポットなどの高速通信が可能な状態で行うとしているがこれに限られるものではない。例えば、帰宅時等に、ステップＳ１０７における車載用記録再生装置１００に存在しないオーディオデータの送信要求を家庭用記録再生装置２００への送信までの動作を行い、対象のオーディオデータを家庭用記録再生装置２００においてリムーバブルメディアに記録する。そして、次の外出時等にリムーバブルメディアを車に持ち込み、リムーバブルメディアから車載用記録再生装置１００に対象のオーディオデータを複製するとしてもよい。あるいは、ステップＳ１０９、Ｓ１１０以外のステップと同様に無線ＬＡＮによってオーディオデータを送受信してもよい。あるいは、リムーバブルメディアと他の無線通信を組み合わせるとしても同様のシステムを構築することができる。
【００８０】
（実施の形態２）
本実施の形態２では実施の形態１において説明したデータ送受信システムにおいて、オーディオデータに関する情報としてさらに優先度を用いるデータ送受信システムについて説明する。
【００８１】
図４は本発明の実施の形態２に係るデータ送受信システムの構成を示すブロック図である。このデータ送受信システムにおいては、車載用記録再生装置３００が実施の形態１の車載用記録再生装置１００の構成に加えて優先度決定部３０１を、家庭用記録再生装置４００が実施の形態１の家庭用記録再生装置２００の構成に加えて優先度決定部４０１を備えている。なお、実施の形態１と同様の部分については同じ符号を付し、詳細な説明を省略する。
【００８２】
図５は、記憶部に保存されているデータベースファイルの一例を示す模式図であり、（ａ）車載用記録再生装置３００の記憶部１０１、（ｂ）家庭用記録再生装置４００の記憶部２０１に保存されているデータベースファイルの一例である。
【００８３】
図５（ａ）、（ｂ）に示すようにデータベースファイル３２０、４２０は、図２（ａ）、（ｂ）に示したデータベースファイル１２０、２２０の項目に加えて「優先度」という項目が追加されている点で異なる。この図５に示す例では、優先度を‘◎’、‘○’、‘△’、‘×’の４種類で表しており、‘◎’が最も優先度が高く、順に低くなり‘×’が最も優先度が低い。この優先度は、ユーザがこの曲を聴く頻度によって各記録再生装置において優先度決定部３０１および優先度決定部４０１が割り当てる。優先度決定部３０１および優先度決定部４０１は、例えば、１ヶ月で、２０回以上聴いた曲は‘◎’、１０回以上２０回未満聴いた曲は‘○’、５回以上１０回未満聴いた曲は‘△’、５回未満しか聴かなかった曲は‘×’というように優先度を決定する。さらに、優先度決定部３０１および優先度決定部４０１は、曲を聴いた回数もそれぞれデータベースファイル３２０、４２０に記録し、優先度を更新する（図４には記載せず）。
【００８４】
本実施の形態２におけるオーディオシンク機能を実行する際の車載用記録再生装置３００と家庭用記録再生装置４００の動作は、基本的には実施の形態１で説明した動作と同じであり、図３に示したフローチャートで表される。本実施の形態２におけるデータ送受信システムの動作と実施の形態１のデータ送受信システムの動作との相違点について、以下説明する。図６（ａ）は抽出部１０３により抽出されたデータベースファイル４２０に含まれていてデータベースファイル３２０含まれていないオーディオデータに関する情報のリストであり、図６（ｂ）はデータリスト３３０の項目で優先度が高い順に整列したデータリストである。
【００８５】
本実施の形態２では、ステップＳ１０７において車載用記録再生装置３００の要求部３０２は、車載用記録再生装置３００に存在しないオーディオデータの送信要求を行う際に、図６（ａ）に示すような優先度の情報を追加して送信する。
【００８６】
また、ステップＳ１０９において家庭用記録再生装置４００の応答部２０３は、送信要求とともに受信したオーディオデータに関する情報のリストを図６（ｂ）に示すように優先度が高い順に並び替えを行う。そして、応答部２０３は、この並び替えを行った順に対象となったオーディオデータを車載用記録再生装置１００へ通信部２０２を介して送信する。
【００８７】
以上のようにオーディオデータに優先度をつけ、優先度の高いオーディオデータを先に複製する。こうすることよって、車が発進するまでに複製の対象となるすべてのオーディオデータを複製することはできなくとも、優先度の高いオーディオデータは優先して複製することができる。優先度の高い曲、すなわちユーザのお気に入りの曲は車の発進前に無線ＬＡＮで複製を完了させ、優先度の高くない残りの曲は出先のホットスポットでダウンロードするというように、効率よくオーディオシンク機能を実行することができる。
【００８８】
なお、本実施の形態２においては、優先度を‘◎’、‘○’、‘△’、‘×’としているがこれに限られたものではない。例えば、優先度を数字で‘１’、‘２’、‘３’、‘４’としてもよい。また、優先度の段階は、４段階以外であっても同様のシステムを構築することができる。
【００８９】
また、優先度の決め方は、１ヶ月の間にその曲を聴いた頻度によって決定するとしているが、これに限られるものではない。例えば、期間は１ヶ月以外で設定してもよく、聴いた回数による優先度の段階分けも本実施の形態２で示した回数以外の数値でもよい。また、記録した日時によって優先度を決めてもよく、例えば新しいものは優先度を高く設定するなどしてもよい。あるいは、ユーザの好みのジャンルを登録しておき、自動的にジャンルを識別して優先度を割り当ててもよい。あるいは、優先度はユーザが任意に設定することとしても同様のシステムを構築することができる。
【００９０】
また、優先度の高い曲は無線ＬＡＮで複製を完了させ、優先度の高くない残りの曲は出先のホットスポットでダウンロードするとしているが、これに限られるものではない。例えば、車の発進までに時間があるのなら優先度の高くない曲も複製を完了させてもよく、また、複製が途中になった場合でもその続きを出先からダウンロードすればよい。あるいは、優先度の高い曲も複製する時間がない場合は実施の形態１と同様に出先からすべてのオーディオデータをダウンロードするとしてもよい。この場合でも優先度があることで１つ目のホットスポットで優先度が高い曲をダウンロードし、次のホットスポットで残りの曲をダウンロードするなど、効率よくダウンロードを行うことができる。
【００９１】
また、車載用記録再生装置３００に存在しないオーディオデータはすべてダウンロードするとしているが、これに限られるものではない。例えば、優先度が低いものはダウンロードしないとしてもよい。この場合、どの優先度までダウンロードの対象とするのかについては、車載用記録再生装置３００から家庭用記録再生装置４００に通知するか、あるいは事前に設定しておけばよい。
【００９２】
また、本実施の形態２では、ステップＳ１０７において要求部３０２は、オーディオデータの送信要求を行う際に、データベースファイル４２０に格納されていた優先度の情報をそのまま追加して送信するものとしているが、これに限られるものではない。例えば、要求部３０２は、送信する優先度をあらかじめ登録されているジャンル等の情報に基づいて変更してもよい。
【００９３】
また、本実施の形態２では、ステップＳ１０７において要求部３０２は、オーディオデータの送信要求を行う際に優先度の情報を追加して送信するものとしているが、これに限られるものではない。例えば、要求部３０２は、ＩＤ番号（データベースファイルに含まれているとして）など、どの曲であるかを識別できる情報だけを送信し、応答部２０３がこの情報によりデータベースファイル４２０からその曲の優先度を読み出して用いてもよい。
【００９４】
（実施の形態３）
本実施の形態３では、車載用記録再生装置と家庭用記録再生装置とにおいて双方向でオーディオデータをダウンロードするデータ送受信システムについて説明する。
【００９５】
図７は本発明の実施の形態３に係るデータ送受信システムの構成を示すブロック図である。このデータ送受信システムにおいては、車載用記録再生装置５００が実施の形態２の車載用記録再生装置３００の構成に加えて送出部５０１を備えている。なお、実施の形態２と同様の部分については同じ符号を付し、詳細な説明を省略する。また、車載用記録再生装置５００は図５に示すデータベースファイル３２０を、家庭用記録再生装置６００はデータベースファイル４２０を有しているものとする。
【００９６】
車載用記録再生装置５００の抽出部５０２は、家庭用記録再生装置６００より送信されたデータベースファイル４２０と、データベースファイル３２０とを比較し、家庭用記録再生装置６００には記録されているが車載用記録再生装置５００には記録されていないオーディオデータに関する情報と、車載用記録再生装置５００には記録されているが家庭用記録再生装置６００には記録されていないオーディオデータに関する情報とを抽出する。
【００９７】
車載用記録再生装置５００の送出部５０１は、抽出部５０２によって抽出された車載用記録再生装置５００には記録されているが家庭用記録再生装置６００には記録されていないオーディオデータを、通信部１０２を介して家庭用記録再生装置６００へ送信する。
【００９８】
車載用記録再生装置５００の要求部５０３は、家庭用記録再生装置６００には記録されているが車載用記録再生装置５００には記録されていないオーディオデータに関する情報に対応するオーディオデータを送信することを要求する送信要求に加えて、車載用記録再生装置５００には記録されているが家庭用記録再生装置６００には記録されていないオーディオデータに関する情報を通信部１０２を介して家庭用記録再生装置６００へ送信する。
【００９９】
図８は本実施の形態３におけるオーディオシンク機能を実行するときの車載用記録再生装置１００と家庭用記録再生装置２００の動作を示すフローチャートである。本実施の形態３におけるデータ送受信システムの動作と実施の形態２のデータ送受信システムの動作との相違点について、以下説明する。なお、図８に示すステップＳ１０１〜Ｓ１０６、ステップＳ１０８〜Ｓ２１０ついては、実施の形態２の場合と同様である。
【０１００】
ステップＳ１０７’において車載用記録再生装置５００の要求部５０３は、家庭用記録再生装置６００には記録されているが車載用記録再生装置５００には記録されていないオーディオデータに関する情報に対応するオーディオデータの送信要求に加えて、車載用記録再生装置５００には記録されているが家庭用記録再生装置６００には記録されていないオーディオデータに関する情報を通信部１０２を介して家庭用記録再生装置６００へ送信する。これにより、家庭用記録再生装置６００は車載用記録再生装置５００から送信されるオーディオデータが存在するか否かを、また存在する場合はどのようなオーディオデータであるかの情報を得る。例えば、図５で示したデータベースファイル３２０とデータベースファイル４２０の場合、車載用記録再生装置５００に保存されていて家庭用記録再生装置６００に保存されていない複製の対象となるオーディオデータは、データベースファイル３２０中のタイトル‘４４４４’という曲である。よって、要求部５０３は、実施の形態２で説明した図６（ａ）に示すようなオーディオデータに関する情報のリストに加えて、データベースファイル３２０中のタイトル‘４４４４’という曲に関する情報についても家庭用記録再生装置６００へ送信することになる。
【０１０１】
ステップＳ２０１においては、車載用記録再生装置５００の送出部５０１は、抽出部５０２によって抽出された車載用記録再生装置５００には記録されているが家庭用記録再生装置６００には記録されていないオーディオデータを、通信部１０２を介して家庭用記録再生装置６００へ送信する。そしてステップＳ２０２において、家庭用記録再生装置６００は車載用記録再生装置５００より送信されたオーディオデータを通信手段２０１を介して受信する。例えば、図５で示したデータベースファイル３２０とデータベースファイル４２０の場合、送出部５０１は、データベースファイル３２０中のタイトル‘４４４４’という曲のオーディオデータを家庭用記録再生装置６００へ送信することになる。
【０１０２】
以上のように双方向でオーディオデータのダウンロードをすることにより車載用記録再生装置５００と家庭用記録再生装置６００いずれの機器においても新規で保存したオーディオデータを共有することができる。
【０１０３】
なお、図８で示したフローチャート内の破線で囲まれたステップＳ１０９およびステップＳ１１０におけるデータ送受信を先に、ステップＳ２０１およびステップＳ２０２におけるデータ送受信を後で行っているが、この時間的関係はこれに限られるものではない。例えば、先にステップＳ２０１およびステップＳ２０２におけるデータ送受信の処理を行ってからステップＳ１０９およびステップＳ１１０におけるデータ送受信の処理を行ってもよい。あるいは、それぞれが随時、データの送受信を行ってもよく、時間的な前後関係にとらわれることなくシステムを構築することができる。
【０１０４】
（実施の形態４）
本実施の形態４では車載用記録再生装置と家庭用記録再生装置とにおいて、一方の装置でオーディオデータの削除があった場合のデータ送受信システムについて説明する。
【０１０５】
図９は本発明の実施の形態４に係るデータ送受信システムの構成を示すブロック図である。このデータ送受信システムにおいては、車載用記録再生装置７００が実施の形態３の車載用記録再生装置５００の構成に加えて削除決定部７０１を備えている。なお、実施の形態３と同様の部分については同じ符号を付し、詳細な説明を省略する。
【０１０６】
図１０は、記憶部に保存されているデータベースファイルの一例を示す模式図であり、（ａ）車載用記録再生装置７００の記憶部１０１、（ｂ）家庭用記録再生装置６００の記憶部２０１に保存されているデータベースファイルの一例である。図１０に示すようにデータベースファイル７１０、６１０は、図５に示したデータベースファイル３２０、４２０の項目に加えて「複製元」および「複製先」という項目が追加されている点が相違する。この「複製元」とは、オーディオデータを保存するときにどこから保存したものであるかを示す情報で、例えば‘ＣＤ’から、あるいは‘インターネット’から、などである。また、「複製先」とは、オーディオデータを複製するときにどこへ複製したかを示す情報で、例えば‘車載用記録再生装置’へ、あるいは‘家庭用記録再生装置’へ、などである。
【０１０７】
また、図１０に示したデータベースファイルは、図５で示したデータベースファイルの状態からオーディオシンク機能によってオーディオデータの複製を終えた状態のデータベースファイルである。各実施の形態で示したようにオーディオシンク機能を実行すると、車載用記録再生装置７００と家庭用記録再生装置６００は同様のデータベースファイルとオーディオデータとをそれぞれが保持することになる。
【０１０８】
車載用記録再生装置７００の削除決定部７０１は、データベースファイル７１０の項目である「複製元」、「複製先」および「優先度」を確認することでその曲を家庭用記録再生装置６００へ複製するのか、あるいは車載用記録再生装置７００自身の記憶部１０１から削除するのかを決定する。
【０１０９】
次に、上記のように構成されたデータ送受信システムにおいて、図１０に示す状態から家庭用記録再生装置６００にてオーディオデータの削除が行われた後に、オーディオシンク機能を実行した場合の動作について、以下に説明する。ここでは、優先度が‘×’のオーディオデータ、すなわち、データベースファイル６１０におけるハッチングの部分が削除されたものとする。
【０１１０】
基本的な動作については実施の形態３での動作と同様であり、図８に示したフローチャートに従う。本実施の形態４では図８中のステップＳ１０６において、車載用記録再生装置７００には記録されているが家庭用記録再生装置６００には記録されていないオーディオデータに対する処理が実施の形態３とは異なる。図１１は車載用記録再生装置７００には記録されているが家庭用記録再生装置６００には記録されていないオーディオデータに対する処理の流れを示すフローチャートである。
【０１１１】
削除決定部７０１は、対象となる曲、すなわち抽出部５０２によって抽出された車載用記録再生装置７００のデータベースファイル７１０には存在し、家庭用記録再生装置６００のデータベースファイル６１０には存在しない曲の、データベースファイル７１０における複製元および複製先を確認する（ステップＳ３０１）。ここで、この複製元および複製先が家庭用記録再生装置６００となっていない場合（ステップＳ３０１でＮＯ）には、この曲が家庭用記録再生装置６００にとって新規登録の対象となる曲であることを意味するため、複製対象の曲であることをデータベースの比較結果とし（ステップＳ３０４）、処理を終了する。後に、図８中のステップＳ１０７’でこの曲の存在は他の情報とともに家庭用記録再生装置６００へ送信される。
【０１１２】
一方、複製元または複製先が家庭用記録再生装置６００となっている場合（ステップＳ３０１でＹＥＳ）には、その曲は家庭用記録再生装置６００において削除されたことを意味している。そこで、削除決定部７０１は、その曲の優先度を確認する（ステップＳ３０２）。削除決定部７０１は、この優先度が所定のレベルより上である場合、例えば‘△’以上の場合は優先度が高いと判断し、そうでない場合は優先度が低いと判断する。ここで、優先度が高いと判断された場合（ステップＳ３０２でＹＥＳ）には、その曲は車載用記録再生装置７００では必要と判断されたことを意味する。このため、削除決定部７０１は、その曲をそのまま保持しておくことを決定（ステップＳ３０３）し、処理を終了する。逆に、優先度が低いと判断された場合（ステップＳ３０２でＮＯ）には、その曲は、家庭用記録再生装置６００で削除され、かつ、車載用記録再生装置７００にとっても不要と判断されたことを意味する。このため、削除決定部７０１は、その曲を削除し（ステップＳ３０５）、処理を終了する。
【０１１３】
例えば、図１０の場合、データベースファイル６１０で削除された曲‘４４４’と‘９９９’は、データベースファイル７１０において、ともに複製元が‘家庭用記録再生装置’と、曲‘４４４４’は 複製先が‘家庭用記録再生装置’となっており、‘４４４’は優先度が‘×’のため削除され、‘４４４４’は優先度が‘△’、‘９９９’は優先度が‘○’のためそのまま保持するということになる。
【０１１４】
このように、車載用記録再生装置７００には存在するが家庭用記録再生装置６００には存在しない曲については、データベースファイル７１０の項目で「複製元」、「複製先」および「優先度」を確認することでその曲を家庭用記録再生装置６００へ複製するのか、あるいは車載用記録再生装置７００自身の記憶部１０１から削除するのかを決定している。このようにデータベースファイルの項目「複製元」、「複製先」および「優先度」を利用することで、家庭では普段聴かないが車ではよく聴くといった曲に対しても誤って削除されることない。また、家庭では必要とされていない曲を無駄に複製することのないオーディオシンク機能を実現するデータ送受信システムを構築することができる。
【０１１５】
次に、図１０に示す状態から車載用記録再生装置７００にてオーディオデータの削除が行われた後に、オーディオシンク機能を実行した場合の動作について、以下に説明する。ここでは、曲‘７７７’のオーディオデータ、すなわち、データベースファイル７１０におけるハッチングの部分が削除されたものとする。
【０１１６】
基本的な動作については上記の動作と同様であり、図８に示したフローチャートに従う。図８中のステップＳ１０６において、家庭用記録再生装置６００には記録されているが車載用記録再生装置７００には記録されていないオーディオデータに対する処理が実施の形態３までとは異なる。図１２は家庭用記録再生装置６００には記録されているが車載用記録再生装置７００には記録されていないオーディオデータに対する処理の流れを示すフローチャートである。
【０１１７】
削除決定部７０１は、対象となる曲、すなわち抽出部５０２によって抽出された家庭用記録再生装置６００のデータベースファイル６１０には存在し、車載用記録再生装置７００のデータベースファイル７１０には存在しない曲の、データベースファイル６１０における複製元および複製先を確認する（ステップＳ４０１）。ここで、この複製元および複製先が車載用記録再生装置７００となっていない場合（ステップＳ４０１でＮＯ）には、この曲が車載用記録再生装置７００にとって新規登録の対象となる曲であることを意味するため、複製対象の曲であることをデータベースの比較結果とし（ステップＳ４０２）、処理を終了する。後に、図８中のステップＳ１０７’でこの曲の存在は他の情報とともに家庭用記録再生装置６００へ送信される。
【０１１８】
一方、複製元または複製先が車載用記録再生装置７００となっている場合（ステップＳ４０１でＹＥＳ）には、その曲は車載用記録再生装置７００において削除されたと判断して処理を終了する。
【０１１９】
例えば、図１０の場合、データベースファイル７１０で削除された曲‘７７７’は、データベースファイル６１０において、複製先が‘車載用記録再生装置’となっているので、過去に家庭用記録再生装置６００から複製された後に車載用記録再生装置７００で削除されたことを意味するため、複製の対象としない。
【０１２０】
このように、家庭用記録再生装置６００には存在するが車載用記録再生装置７００には存在しない曲については、データベースファイル６１０の項目で「複製元」、「複製先」および「優先度」を確認することでその曲を車載用記録再生装置７００へ複製するのかを決定している。このようにデータベースファイルの項目「複製元」、「複製先」および「優先度」を利用することで、一度削除した曲、すなわち、車載用記録再生装置７００で不要と判断された曲を再び複製することを防ぐオーディオシンク機能を実現するデータ送受信システムを構築することができる。
【０１２１】
以上のようにオーディオシンク機能を実現するデータ送受信システムにおいて、データベースファイルの項目「複製元」、「複製先」および「優先度」を利用することで、一方の記録再生装置にだけ存在する曲に対しての処理をユーザの嗜好に合わせて決めることができ、ユーザに使い勝手のよいデータ送受信システムを構築することができる。
【０１２２】
なお、本実施の形態４では、家庭用記録再生装置６００には記録されているが車載用記録再生装置７００には記録されていないオーディオデータに対する処理において、車載用記録再生装置７００で削除されたと判断されるオーディオデータについて、家庭用記録再生装置６００側で優先度に基づいて削除を行う処理を行っていないが、これに限られるものではない。例えば、車載用記録再生装置７００には記録されているが家庭用記録再生装置６００には記録されていないオーディオデータに対する処理の場合と同様に、車載用記録再生装置７００で削除されたと判断されるオーディオデータについて、家庭用記録再生装置６００側で優先度に基づいて削除を行う処理を行ってもよい。
【０１２３】
なお、本実施の形態４では、データベースファイルの項目「複製元」、「複製先」および「優先度」を利用するとしたが、「優先度」を用いずにシステムを構築することも可能である。このシステムにおいても一度削除したものを再び複製することを防止することができる。
【０１２４】
（実施の形態５）
本実施の形態５では、実施の形態４で説明した、一方の装置でオーディオデータの削除があった場合におけるデータ送受信システムの他の形態について説明する。
【０１２５】
本発明の実施の形態５におけるシステムの構成は図９で示したものと同様である。
図１３は、記憶部に保存されているデータベースファイルの一例を示す模式図であり、（ａ）車載用記録再生装置７００の記憶部１０１、（ｂ）家庭用記録再生装置６００の記憶部２０１に保存されているデータベースファイルの一例である。図１３に示したデータベースファイル７２０、６２０は、図５に示したデータベースファイル３２０、４２０の項目に加えて「削除」という項目が追加されている点が相違する。この「削除」の項目が「○」となっているオーディオデータはその機器において削除されたことを意味し、データベースファイル上には存在するが、実際のオーディオデータは存在しない。
【０１２６】
図１３に示したデータベースファイルは、図５で示したデータベースファイルの状態からオーディオシンク機能によってオーディオデータの複製を終えた状態のデータベースファイルである。つまり、車載用記録再生装置７００と家庭用記録再生装置６００は同様のデータベースファイルとオーディオデータとをそれぞれが保持することになる。
【０１２７】
車載用記録再生装置７００の削除決定部７０１は、データベースファイル７２０の項目である「削除」および「優先度」を確認することでその曲を家庭用記録再生装置６００へ複製するのか、あるいは車載用記録再生装置７００自身の記憶部１０１から削除するのかを決定する。
【０１２８】
次に、上記のように構成されたデータ送受信システムにおいて、図１３に示す状態から家庭用記録再生装置６００にてオーディオデータの削除が行われた後に、オーディオシンク機能を実現した場合の動作について、以下に説明する。ここでは実施の形態４同様、優先度が‘×’のオーディオデータ、すなわち、データベースファイル６２０におけるハッチングの部分が削除されたとし、削除後のデータベースファイルを図１４に示す。上記の説明のとおり、データベースファイル６２０´では、オーディオデータが削除された曲はデータベースファイルからは削除されずに「削除」の項目が「○」となる。
【０１２９】
基本的な動作については実施の形態４での動作と同様であり、図８に示したフローチャートに従う。本実施の形態５では図８中のステップＳ１０６において抽出部５０２の処理方法が異なる。図１５は本実施の形態５における「削除」項目を用いた抽出部５０２のデータベース比較処理のフローチャートである。
【０１３０】
なお、図１５に示した動作は、実施の形態３で説明したデータベース比較処理が終わった後に行われるものである。つまり、車載用記録再生装置７００、あるいは家庭用記録再生装置６００、どちらか一方にのみ存在するオーディオデータに関しては既に抽出部５０２によって抽出されているものとする。「削除」項目が「○」のものは、オーディオデータは存在しないが、データベースファイル上には存在するため、このデータベース比較処理では対象とならない。
【０１３１】
図１５のフローチャートの詳細を説明する。まず、抽出部５０２は、データベースファイル６２０´のそれぞれの曲について「削除」項目が「○」であるか否かを確認する（ステップＳ５０１）。最終的には、抽出部５０２は、「削除」項目が「○」となっている曲をデータベースファイル６２０´からすべて抽出することになる。「削除」項目が「○」でない場合（ステップＳ５０１でＮＯ）には、オーディオデータは車載用記録再生装置７００と家庭用記録再生装置６００の双方に存在することを意味するため処理を終了する。
【０１３２】
一方、「削除」項目が「○」である場合（ステップＳ５０１でＹＥＳ）には、削除決定部７０１は、対象となる曲、すなわち抽出部５０２によって抽出された「削除」項目が「○」となっている曲について、データベースファイル７２０における優先度を確認する（ステップＳ５０２）。この優先度が所定のレベルより上である場合、例えば‘△’以上の場合は優先度が高いと判断し、そうでない場合は、優先度が低いと判断する。ここで、優先度が高いと判断された場合は（ステップＳ５０２でＹＥＳ）、その曲は車載用記録再生装置７００では必要と判断されたことを意味する。このため、削除決定部７０１は、その曲をそのまま保持しておくことを決定（ステップＳ５０３）し、処理を終了する。逆に、優先度が低いと判断された場合（ステップＳ５０２でＮＯ）には、その曲は、家庭用記録再生装置６００で削除され、かつ、車載用記録再生装置７００にとっても不要と判断されたことを意味する。このため、削除決定部７０１は、その曲を削除し（ステップＳ５０４）、処理を終了する。
【０１３３】
例えば、図１４の場合、データベースファイル６２０´で「削除」項目が「○」の曲、‘４４４’はデータベースファイル７２０上での優先度が‘×’のため、データベースファイル７２０の「削除」項目を「○」にして、そのオーディオデータは削除される。‘４４４４’と‘９９９’はデータベースファイル７２０上での優先度がともに‘△’以上であるためそのまま保持される。
【０１３４】
このように、車載用記録再生装置７００には存在するが、家庭用記録再生装置６００では削除された曲については、「削除」および「優先度」を確認することで車載用記録再生装置７００自身の記憶部１０１から削除するのかを決定している。このようにデータベースファイルの項目「削除」、「優先度」を利用することで、家庭では普段聴かないが車ではよく聴くといった曲に対しても誤って削除されることはない。また、家庭では必要とされていない曲を無駄に複製することのないオーディオシンク機能を実現するデータ送受信システムを構築することができる。
【０１３５】
次に、図１３に示す状態から車載用記録再生装置７００にてオーディオデータの削除が行われた後に、オーディオシンク機能を実行した場合について説明する。この場合は、車載用記録再生装置７００にオーディオデータは存在しないが、データベースファイルには削除された曲の情報が残っているため、データベース比較を行っても複製の対象として抽出部５０２から抽出されることはない。また、実施の形態４で述べたように、削除した曲を家庭用記録再生装置６００においても削除したい場合などは、家庭用記録再生装置６００での優先度を確認して、削除するか否かを決定すればよい。
【０１３６】
以上のように、オーディオシンク機能を実現するデータ送受信システムにおいて、データベースファイルの項目「削除」と「優先度」を利用することで、削除された曲を再び複製することを防ぎ、あるいは、削除したことを他方の記録再生装置に反映させる、ユーザに使い勝手のよいデータ送受信システムを構築することができる。
【０１３７】
なお、本実施の形態５では、データベースファイルの項目「削除」および「優先度」を利用するとしたが、「優先度」を用いずにシステムを構築することも可能である。このシステムにおいても一度削除したものを再び複製することを防止することができる。
【０１３８】
（実施の形態６）
本実施の形態６では、実施の形態２において説明したデータ送受信システムにおいて、車載用記録再生装置の記憶部の空き容量を考慮したデータ送受信システムについて説明する。
【０１３９】
図１６は本発明の実施の形態６に係るデータ送受信システムの構成を示すブロック図である。このデータ送受信システムにおいては、家庭用記録再生装置９００が実施の形態２の家庭用記録再生装置４００の構成に加えて圧縮部９０２を備えている。なお、実施の形態２と同様の部分については同じ符号を付し、詳細な説明を省略する。
【０１４０】
車載用記録再生装置８００の要求部８０２は、家庭用記録再生装置９００には記録されているが車載用記録再生装置８００には記録されていないオーディオデータに関する情報に対応するオーディオデータの送信要求を行う際に、このオーディオデータのデータ量および記憶部１０２の空き容量に基づいてオーディオデータの圧縮指示を行うか否かの決定を行う。
【０１４１】
家庭用記録再生装置９００の応答部９０１は、オーディオデータの送信要求に圧縮指示が含まれているか否かにより圧縮部９０２への圧縮指示を行う。家庭用記録再生装置９００の圧縮部９０２は、記憶部２０２に保存されているオーディオデータを車載用記録再生装置へ送信する際に、オーディオデータを圧縮する。
【０１４２】
本実施の形態６におけるオーディオシンク機能を実行する際の車載用記録再生装置８００と家庭用記録再生装置９００との動作は、基本的には実施の形態２で説明した動作と同じであり、図３に示したフローチャートで表される。本実施の形態６におけるデータ送受信システムの動作と実施の形態２のデータ送受信システムの動作との相違点について、以下説明する。図１７は家庭用記録再生装置９００には記録されているが車載用記録再生装置８００には記録されていないオーディオデータに対する処理の流れを示すフローチャートである。なお、データベースファイルには、各オーディオデータのデータ量が含まれているものとする。
【０１４３】
車載用記録再生装置８００の要求部８０２は、抽出部１０３によって抽出された家庭用記録再生装置９００には記録されているが車載用記録再生装置８００には記録されていないオーディオデータに関する情報が存在する場合、このオーディオデータのデータ量および記憶部１０２の空き容量を確認する（ステップＳ６０１）。ここで、このオーディオデータを複製するのに記憶部１０２の空き容量が十分である場合（ステップＳ６０１でＹＥＳ）には、実施の形態２と同様にオーディオデータの送信要求（比較結果送信）を行う（ステップＳ１０７）。
【０１４４】
一方、このオーディオデータを複製するのに記憶部１０２の空き容量が不十分である場合（ステップＳ６０１でＮＯ）には、要求部８０２は、オーディオデータの複製に必要な容量と、記憶部１０２の空き容量とに基づいて圧縮率を求め、圧縮指示を決定する（ステップＳ６０２）。そして、要求部８０２は、実施の形態２と同様にオーディオデータの送信要求（比較結果送信）とともに、その圧縮指示を家庭用記録再生装置９００へ送信する（ステップＳ１０７）。
【０１４５】
オーディオデータの送信要求を受信した家庭用記録再生装置９００の応答部９０１は、圧縮指示が含まれているか否かを確認する。この結果、圧縮指示が含まれている場合には、応答部９０１は圧縮部９０２に対してオーディオデータの圧縮を指示する。圧縮指示が含まれていない場合には圧縮部９０２に対してオーディオデータを圧縮しないように指示する。圧縮部９０２は、圧縮指示された場合にはオーディオデータを圧縮して送信し、圧縮しないように指示された場合にはオーディオデータを圧縮せずに送信する。
【０１４６】
このように記憶部１０２の空き容量を考慮して、圧縮するか否か、また圧縮する場合は圧縮率をどうするか、を決めることで、記憶部１０２を効率よく利用したデータ送受信システムを構築することができる。
【０１４７】
なお、本実施の形態では、実施の形態２に基づいて家庭用記録再生装置９００には記録されているが車載用記録再生装置８００には記録されていないオーディオデータを複製する場合について説明したが、これに限られるものではない。実施の形態３のように双方向に複製を行う場合には、例えば、データベースファイルの送信時に家庭用記録再生装置９００の記憶部２０２の空き容量を送信し、車載用記録再生装置８００より送信されたオーディオデータを圧縮部９０２で圧縮するように構成すればよい。
【０１４８】
また、本実施の形態では、圧縮部は家庭用記録再生装置９００側にだけ示しているが、車載用記録再生装置８００側にも設置する構成としても同様のシステムを構築することができる。この場合は、車載用記録再生装置８００から受信した比較結果より家庭用記録再生装置で圧縮するか否かを判断して、圧縮指示を車載用記録再生装置８００に送信すればよい。
【０１４９】
また、本実施の形態では、圧縮するか否かは複製するオーディオデータのデータ量と記憶部の空き容量から判断するとしているが、これに限られるものではない。例えば、ユーザがあらかじめ圧縮率を設定しておくとしてもよい。あるいは、例えば優先度が高いオーディオデータは圧縮なしで、優先度が低いオーディオデータは圧縮ありとする等、優先度によってその圧縮率を変化させるとしても良い。また、優先度が所定の値より低いオーディオデータを削除して空き容量を増やすとしても同様のシステムを構築することができる。
【０１５０】
（実施の形態７）
実施の形態１〜６においては、オーディオデータを例にデジタルデータのデータ送受信システムを説明した。本実施の形態７では送受信するデジタルデータが２種類以上の異なるコンテンツを含むときのデータ送受信システムについて説明する。
【０１５１】
図１８は本発明の実施の形態７に係るデータ送受信システムの構成を示すブロック図である。このデータ送受信システムにおいては、車載用記録再生装置１０００では実施の形態５の車載用記録再生装置８００にユーザＩ／Ｆ部１００１が接続される構成となっている。なお、実施の形態５と同様の部分については同じ符号を付し、詳細な説明を省略する。
【０１５２】
実施の形態１〜６でオーディオシンク機能と称していた機能をデジタルコンテンツシンク機能と呼ぶことにし、オーディオデータだけでなく画像（動画像）データ、ピクチャ（静止画）データなど様々なデジタルコンテンツデータの送受信を行う機能を表すとする。ここではオーディオデータと画像データが混在したデジタルデータを送受信する場合を例にして説明する。ここで、画像データはオーディオデータと比べてそのデータサイズが非常に大きいものとする。
【０１５３】
本実施の形態７においてデジタルコンテンツシンク機能を実行する際の車載用記録再生装置１０００と家庭用記録再生装置９００との動作は、図３で示したフローチャートと基本的に同じである。本実施の形態６では、図３中のステップＳ１０６において、車載用記録再生装置１０００には記録されているが家庭用記録再生装置９００には記録されていないデジタルコンテンツデータに対する処理が実施の形態５とは異なる。図１９は車載用記録再生装置１０００には記録されているが家庭用記録再生装置９００には記録されていないデジタルコンテンツデータに対する処理の流れを示すフローチャートである。
【０１５４】
車載用記録再生装置１０００の抽出部１００２は、実施の形態１〜６と同様に家庭用記録再生装置９００には記録されているが車載用記録再生装置１０００には記録されていないデジタルコンテンツデータに関する情報を抽出する（ステップＳ７０１）。そして、抽出部１００２は、抽出した複製対象となるデジタルコンテンツデータの中に画像データが存在するか否かを確認する（ステップＳ７０２）。ここで、画像データが存在する場合（ステップＳ７０２でＹＥＳ）には、抽出した複製対象となるデジタルコンテンツデータのリストをユーザＩ／Ｆ部１００１へ出力する。このリストの中から複製するデジタルコンテンツデータが、ユーザにより選択される。抽出部１００２は、選択されたデジタルコンテンツデータに関する情報を要求部８０２へ通知し、各実施の形態と同様にデジタルコンテンツデータの送信要求（比較結果送信）を行う（ステップＳ１０７）。これにより、選択されたデジタルコンテンツデータだけが複製されることになる。
【０１５５】
一方、画像データが存在しない場合（ステップＳ７０２でＮＯ）には、本実施の形態では複製する対象がオーディオデータだけということを意味し、要求部８０２は各実施の形態と同様にオーディオデータの送信要求（比較結果送信）を行う（ステップＳ１０７）。
【０１５６】
以上のように、データサイズが大きな画像データに対してはすべてのデータを複製するのではなく、ユーザが選択したものだけを複製することにより、効率よいデータの送受信を行うデータ送受信システムを構築することができる。
【０１５７】
なお、本実施の形態７では、混在するデジタルコンテンツデータは画像データとオーディオデータとしているが、これに限られるものではない。例えば、ピクチャデータやそれ以外のデジタルコンテンツデータも同様に用いることができる。また、混在するデジタルコンテンツデータの種類も２種類以上の場合でも同様のシステムを構築することができる。
【０１５８】
また、画像データは複製するか否かをユーザが選択して決めるとしているが、これに限られるものではない。例えば、オーディオデータもユーザが選択するとしてもよい。また、選択するか否かはデータのファイルサイズや伝送路の状態によって決めるようにしてもよい。あるいは、画像データもオーディオデータと同様に実施の形態１〜６で説明した方法で複製する対象を決定しても同様のシステムを構築することができる。
【産業上の利用可能性】
【０１５９】
以上のように、本発明に係るデータ送受信システムは、２台の記録再生装置間においてデジタルデータの送受信を簡単かつ効率よく行うことができ、例えば車載用記録再生装置と家庭用記録再生装置等との間でのデータの送受信を行うのに有用である。
【図面の簡単な説明】
【０１６０】
【図１】図１は、本発明の実施の形態１に係るデータ送受信システムの構成を示すブロック図である。
【図２】図２は、本発明の実施の形態１に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
【図３】図３は、本発明の実施の形態１、２、５および６に係る車載用記録再生装置および家庭用記録再生装置の動作を示すフローチャートである。
【図４】図４は、本発明の実施の形態２に係るデータ送受信システムの構成を示すブロック図である。
【図５】図５は、本発明の実施の形態２に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
【図６】図６は、本発明の実施の形態２に係る抽出部により抽出された複製の対象となるオーディオデータに関する情報のリストの一例を示す模式図であり、（ａ）抽出された状態のデータリスト、（ｂ）優先度が高い順に整列したデータリストの一例を示す模式図である。
【図７】図７は、本発明の実施の形態３に係るデータ送受信システムの構成を示すブロック図である。
【図８】図８は、本発明の実施の形態３および４に係る車載用記録再生装置および家庭用記録再生装置の動作を示すフローチャートである。
【図９】図９は、本発明の実施の形態４に係るデータ送受信システムの構成を示すブロック図である。
【図１０】図１０は、本発明の実施の形態４に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
【図１１】図１１は、本発明の実施の形態４に係る車載用記録再生装置には記録されているが家庭用記録再生装置には記録されていないオーディオデータに対する処理の流れを示すフローチャートである。
【図１２】図１２は、本発明の実施の形態４に係る家庭用記録再生装置には記録されているが車載用記録再生装置には記録されていないオーディオデータに対する処理の流れを示すフローチャートである。
【図１３】図１３は、本発明の実施の形態５に係る記憶部に保存されているデータベースファイルの一例を示す模式図であり、（ａ）車載用記録再生装置の記憶部、（ｂ）家庭用記録再生装置の記憶部に保存されているデータベースファイルの一例である。
【図１４】図１４は、本発明の実施の形態５に係る記憶部に保存されているデータベースファイルの一例を示す模式図であり、図１３で示したデータベースファイルから一部のオーディオデータが削除された場合のデータベースファイルの一例である。
【図１５】図１５は、本発明の実施の形態５に係る一方の記録再生装置に存在しないオーディオデータを抽出した後に行われるデータベースファイル比較処理の流れを示すフローチャートである。
【図１６】図１６は、本発明の実施の形態６に係るデータ送受信システムの構成を示すブロック図である。
【図１７】図１７は、本発明の実施の形態６に係る家庭用記録再生装置には記録されているが車載用記録再生装置には記録されていないオーディオデータに対する処理の流れを示すフローチャートである。
【図１８】図１８は、本発明の実施の形態７に係るデータ送受信システムの構成を示すブロック図である。
【図１９】図１９は、本発明の実施の形態７に係る車載用記録再生装置には記録されているが家庭用記録再生装置には記録されていないデジタルコンテンツデータに対する処理の流れを示すフローチャートである。
【手続補正３】
【補正対象書類名】図面
【補正対象項目名】全図
【補正方法】変更
【補正の内容】
【図１】
2005020076.tif 000022
【図２】
2005020076.tif 000023
【図３】
2005020076.tif 000024
【図４】
2005020076.tif 000025
【図５】
2005020076.tif 000026
【図６】
2005020076.tif 000027
【図７】
2005020076.tif 000028
【図８】
2005020076.tif 000029
【図９】
2005020076.tif 000030
【図１０】
2005020076.tif 000031
【図１１】
2005020076.tif 000032
【図１２】
2005020076.tif 000033
【図１３】
2005020076.tif 000034
【図１４】
2005020076.tif 000035
【図１５】
2005020076.tif 000036
【図１６】
2005020076.tif 000037
【図１７】
2005020076.tif 000038
【図１８】
2005020076.tif 000039
【図１９】
2005020076.tif 000040
【国際調査報告】
2005020076.tif 000041
2005020076.tif 000042